(57)【特許請求の範囲】
【請求項１】
履物製品のためのソール構造体であって、前記ソール構造体は、
ミッドソールであり、第１表面と、前記第１表面に対して前記ミッドソールの対向する側において形成された第２表面と、前記第１表面に形成され、かつ、前記第１表面から前記第２表面に向かう方向においてテーパが付いている第１キャビティと、前記第２表面に形成され、かつ、前記第２表面から前記第１表面に向かう方向においてテーパが付いている第２キャビティと、を含むミッドソール、
前記第１キャビティの中に配置されている第１量の粒子状物質、および、
前記第２キャビティの中に配置されている第２量の粒子状物質、
を含み、
前記第１キャビティは、前記第１キャビティと流体連通し、かつ、前記第１キャビティから前記第２表面まで延びている第１通路、を含む、
ソール構造体。
【請求項２】
履物製品のためのソール構造体であって、前記ソール構造体は、
ミッドソールであり、第１表面と、前記第１表面に対して前記ミッドソールの対向する側において形成された第２表面と、前記第１表面に形成され、かつ、第１形状を有する第１キャビティと、前記第２表面に形成され、かつ、前記第１形状を有する第２キャビティと、を含み、前記第２キャビティは前記第１キャビティに対して反転されている、ミッドソール、
前記第１キャビティの中に配置されている第１量の粒子状物質、および、
前記第２キャビティの中に配置されている第２量の粒子状物質、
を含み、
前記第１キャビティは、前記第１キャビティと流体連通し、かつ、前記第１キャビティから前記第２表面まで延びている第１通路、を含む、
ソール構造体。
【請求項３】
前記第２キャビティは、前記第２キャビティと流体連通し、かつ、前記第２キャビティから前記第１表面まで延びている第２通路、を含む、
請求項１または２に記載のソール構造体。
【請求項４】
前記第１通路は、前記第１キャビティとは異なる形状を有し、かつ、
前記第２通路は、前記第２キャビティとは異なる形状を有する、
請求項３に記載のソール構造体。
【請求項５】
前記第１キャビティおよび前記第２キャビティは、同じ形状を有している、
請求項１または２に記載のソール構造体。
【請求項６】
前記第１キャビティおよび前記第２キャビティは、前記ミッドソールの長手方向軸に対して平行に延びる方向において、互いに離間されている、
請求項１乃至５いずれか一項に記載のソール構造体。
【請求項７】
前記第１キャビティおよび前記第２キャビティは、前記ミッドソールの長手方向軸に対して平行に延びる方向において互いにオーバーラップしている、
請求項１または２に記載のソール構造体。
【請求項８】
前記第１キャビティおよび前記第２キャビティは、球形状、楕円形状、および、台形状のうちの１つを有する、
請求項１乃至７いずれか一項に記載のソール構造体。
【請求項９】
前記第１量の粒子状物質が第１バリア部材によって受け容れられ、かつ、前記第２量の粒子状物質が第２バリア部材によって受け容れられ、
前記第１バリア部材は、前記第１量の粒子状物質と前記第１キャビティとの間に配置されており、かつ、前記第２バリア部材は、前記第２量の粒子状物質と前記第２キャビティとの間に配置されている、
請求項１乃至８いずれか一項に記載のソール構造体。
【請求項１０】
前記第１バリア部材および前記第２バリア部材は、ポリマーから形成されている、
請求項９に記載のソール構造体。
【請求項１１】
前記第１バリア部材および前記第２バリア部材は、熱可塑性ポリウレタン（ＴＰＵ）から形成されている、
請求項９に記載のソール構造体。
【請求項１２】
前記第１バリア部材は、前記第１キャビティの中に受け容れられる第１バリア部分を含み、かつ、
前記第２バリア部材は、前記第２キャビティの中に受け容れられる第１バリア部分を含む、
請求項９に記載のソール構造体。
【請求項１３】
前記第１バリア部材は、前記第１バリア部分に取り付けられた第２バリア部分を含み、前記第１量の粒子状物質を受け容れる第１内部空間を画定し、かつ、
前記第２バリア部材は、前記第２バリア部材の前記第１バリア部分に取り付けられた第２バリア部分を含み、前記第２量の粒子状物質を受け容れる第２内部空間を画定する、
請求項１２に記載のソール構造体。
【請求項１４】
前記第１バリア部材の前記第２バリア部分、および、前記第２バリア部材の前記第２バリア部分は、前記第１バリア部材の前記第１バリア部分、および、前記第２バリア部材の前記第１バリア部分と同一の材料から形成されている、
請求項１３に記載のソール構造体。
【請求項１５】
前記第１バリア部材の前記第２バリア部分、および、前記第２バリア部材の前記第２バリア部分は、前記第１バリア部材の前記第１バリア部分、および、前記第２バリア部材の前記第１バリア部分とは異なる材料から形成されている、
請求項１３に記載のソール構造体。
【請求項１６】
前記第１量の粒子状物質と前記第２量の粒子状物質は、同じ量である、
請求項１または２に記載のソール構造体。
【請求項１７】
前記第１量の粒子状物質と前記第２量の粒子状物質は、異なる量である、
請求項１または２に記載のソール構造体。
【請求項１８】
前記第１量の粒子状物質および前記第２量の粒子状物質のうち少なくとも１つは、フォームビーズを含んでいる、
請求項１乃至１７いずれか一項に記載のソール構造体。
【請求項１９】
前記フォームビーズは、球形状を有する、
請求項１８に記載のソール構造体。
【請求項２０】
前記フォームビーズは、同じサイズおよび同じ形状を有する、
請求項１８に記載のソール構造体。
【請求項２１】
前記フォームビーズは、異なるサイズおよび異なる形状のうち少なくとも１つを含む、
請求項１８に記載のソール構造体。
【請求項２２】
前記第１キャビティは、前記第１表面から前記第２表面に向かう方向においてテーパが付いており、かつ、
前記第２キャビティは、前記第２表面から前記第１表面に向かう方向においてテーパが付いている、
請求項２に記載のソール構造体。
【請求項２３】
履物製品のためのソール構造体であって、前記ソール構造体は、
ミッドソールであり、第１表面と、前記第１表面に対して前記ミッドソールの対向する側において形成された第２表面と、前記第１表面に形成された複数の第１キャビティと、前記第２表面に形成された複数の第２キャビティと、を含み、前記複数の第２キャビティは、前記ミッドソールの長さに沿って前記複数の第１キャビティと交互に配置されている、ミッドソール、
前記第１キャビティの中に配置されている第１量の粒子状物質、
前記第２キャビティの中に配置されている第２量の粒子状物質、および、
前記第１キャビティは、前記複数の第１キャビティのうちそれぞれと流体連通し、かつ、前記第１キャビティそれぞれから前記第２表面まで延びている第１通路、
を含む、ソール構造体。
【請求項２４】
前記ソール構造体は、さらに、
前記複数の第２キャビティのうちそれぞれと流体連通し、かつ、前記第２キャビティそれぞれから前記第１表面まで延びている第２通路、を含む、
請求項２３に記載のソール構造体。
【請求項２５】
前記第１通路は、前記複数の第１キャビティとは異なる形状を有し、かつ、
前記第２通路は、前記複数の第２キャビティとは異なる形状を有する、
請求項２４に記載のソール構造体。
【請求項２６】
前記複数の第１キャビティは、第１形状を有し、かつ、
前記複数の第２キャビティは、前記第１形状を有し、
前記複数の第２キャビティは、前記複数の第１キャビティに対して反転されている、
請求項２３に記載のソール構造体。
【請求項２７】
前記複数の第１キャビティは、前記第１表面から前記第２表面に向かう方向においてテーパが付いており、かつ、
前記複数の第２キャビティは、前記第２表面から前記第１表面に向かう方向においてテーパが付いている、
請求項２３記載のソール構造体。
【請求項２８】
前記複数の第１キャビティおよび前記複数の第２キャビティは、前記ミッドソールの長手方向軸に対して平行に延びる方向において、互いに離間されている、
請求項２３乃至２７いずれか一項に記載のソール構造体。
【請求項２９】
前記複数の第１キャビティおよび前記複数の第２キャビティは、前記ミッドソールの長手方向軸に対して平行に延びる方向において互いにオーバーラップしている、
請求項２３に記載のソール構造体。
【請求項３０】
前記複数の第１キャビティおよび前記複数の第２キャビティは、球形状、楕円形状、および、台形状のうちの１つを有する、
請求項２３乃至２９いずれか一項に記載のソール構造体。
【請求項３１】
前記第１量の粒子状物質が第１バリア部材によって受け容れられ、かつ、前記第２量の粒子状物質が第２バリア部材によって受け容れられ、
前記第１バリア部材は、前記第１量の粒子状物質と前記複数の第１キャビティそれぞれとの間に配置されており、かつ、前記第２バリア部材は、前記第２量の粒子状物質と前記複数の第２キャビティそれぞれとの間に配置されている、
請求項２３乃至３０いずれか一項に記載のソール構造体。
【請求項３２】
前記第１バリア部材および前記第２バリア部材は、ポリマーから形成されている、
請求項３１に記載のソール構造体。
【請求項３３】
前記第１バリア部材および前記第２バリア部材は、熱可塑性ポリウレタン（ＴＰＵ）から形成されている、
請求項３１に記載のソール構造体。
【請求項３４】
前記第１バリア部材は、前記複数の第１キャビティそれぞれの中に受け容れられる第１バリア部分を含み、かつ、
前記第２バリア部材は、前記複数の第２キャビティそれぞれの中に受け容れられる第１バリア部分を含む、
請求項３１に記載のソール構造体。
【請求項３５】
前記第１バリア部材は、前記第１バリア部分に取り付けられた第２バリア部分を含み、前記第１量の粒子状物質を受け容れる第１内部空間を画定し、かつ、
前記第２バリア部材は、前記第２バリア部材の前記第１バリア部分に取り付けられた第２バリア部分を含み、前記第２量の粒子状物質を受け容れる第２内部空間を画定する、
請求項３４に記載のソール構造体。
【請求項３６】
前記第１バリア部材の前記第２バリア部分、および、前記第２バリア部材の前記第２バリア部分は、前記第１バリア部材の前記第１バリア部分、および、前記第２バリア部材の前記第１バリア部分と同一の材料から形成されている、
請求項３５に記載のソール構造体。
【請求項３７】
前記第１バリア部材の前記第２バリア部分、および、前記第２バリア部材の前記第２バリア部分は、前記第１バリア部材の前記第１バリア部分、および、前記第２バリア部材の前記第１バリア部分とは異なる材料から形成されている、
請求項３５に記載のソール構造体。
【請求項３８】
前記第１量の粒子状物質と前記第２量の粒子状物質は、同じ量である、
請求項２３に記載のソール構造体。
【請求項３９】
前記第１量の粒子状物質と前記第２量の粒子状物質は、異なる量である、
請求項２３に記載のソール構造体。
【請求項４０】
前記第１量の粒子状物質および前記第２量の粒子状物質のうち少なくとも１つは、フォームビーズを含んでいる、
請求項２３乃至３９いずれか一項に記載のソール構造体。
【請求項４１】
前記フォームビーズは、球形状を有する、
請求項４０に記載のソール構造体。
【請求項４２】
前記フォームビーズは、同じサイズおよび同じ形状を有する、
請求項４０に記載のソール構造体。
【請求項４３】
前記フォームビーズは、異なるサイズおよび異なる形状のうち少なくとも１つを含む、
請求項４０に記載のソール構造体。
【発明の詳細な説明】
【技術分野】
【０００１】
本開示は、粒子状物質（particulate  matter）を組み込んだクッション部材（cushioning  members）に関する。そして、より詳細には、履物製品（article  of  footwear）に使用するための粒子状物質を組み込んだクッション部材に関する。
【０００２】
本出願は、2017年3月24日に出願された米国仮出願第62/476,300号に対する優先権を主張する。この先行出願の開示は、本出願の本開示の一部とみなされるものであり、かつ、その全体がここにおいて参照により組み込まれている。
【背景技術】
【０００３】
このセクションは、必ずしも先行技術ではない、本開示に関連する背景情報を提供するものである。
【０００４】
履物製品は、従来的に、アッパー（upper）およびソール（sole）構造体（structure）を含んでいる。アッパーは、ソール構造体の上に足（foot）を受け容れ、固定し、そして、支持するように、任意の適切な材料から形成され得る。アッパーは、足の周囲でのアッパーのフィットを調整するように、レース（laces）、ストラップ（straps）、または他のファスナ（fasteners）と協働し得る。足の底面（bottom  surface）に近接した、アッパーの底部（bottom  portion）が、ソール構造体に取り付けられている。
【０００５】
ソール構造体は、一般的に、地面とアッパーとの間に延在する層状構成（layered  arrangement）を含んでいる。ソール構造体の１つの層は、耐摩耗性（abrasion-resistance）および地面とのトラクション（traction）を提供するアウトソールを含んでいる。アウトソールは、ゴム、または、耐久性および耐摩耗性を付与し、並びに、地面とのトラクションを増強する他の材料から形成され得る。ソール構造体の別の層は、アウトソールとアッパーとの間に配置されたミッドソールを含んでいる。ミッドソールは、足のためにクッション性（cushioning）を提供し、そして、一般的に、接地反力（ground-reaction  force）を減衰させることによって足をクッションするように、加えられた荷重の下で弾性的（resiliently）に圧縮するポリマーフォーム材料から少なくとも部分的に形成されている。ミッドソールは、アウトソールに対向する一方の側において底面を画定し、そして、反対の側においてフットベッド(footbed)を画定して、足の底面のプロフィール（profile）に一致するように作成され得る。ソール構造体は、また、アッパーの底部に近接した空間（void）の中に配置された快適性を向上させる（comfort-enhancing）インソール（insole）または中敷き（sockliner）も含み得る。
【０００６】
ポリマーフォーム（polymer  foam）材料を使用しているインソールは、一般的に、ウォーキングまたはランニング動作の最中といった、加えられた荷重の下で弾性的に圧縮する単一のスラブ（slab）として構成されている。一般的に、単一スラブのポリマーフォームは、スラブが勾配荷重（gradient  loads）の下で圧縮される際の柔らかさ（softness）および応答性に関連するクッション特性のバランスに重点を置いてデザインされている。柔らか過ぎるクッション性を提供するポリマーフォームは、繰り返される圧縮の後で、接地反力を減衰させるためのインソールの圧縮性および能力を低下させる。反対に、硬すぎる、従って、非常に反応性があるポリマーフォームは、柔らかさを犠牲にし、それによって、結果として快適さを失ってしまう。ポリマーフォームのスラブの異なる領域が、スラブ全体としての柔らかさおよび応答性のバランスを取るように、密度、硬度、エネルギーリターン、および材料選択において変化し得る一方で、柔らかいものから反応性あるものへ勾配のあるやり方で荷重するポリマーフォームの単一スラブを作成することは、達成するのが困難である。
【図面の簡単な説明】
【０００７】
ここにおいて説明される図面は、選択された構成の説明目的だけのものであり、そして、本開示の範囲を限定するように意図されたものではない。
【図１】図1は、本開示の原理に従った、履物製品の斜視図である。
【図２】図2は、図１の履物製品の分解図である。
【図３】図3は、図2のライン３−３に沿ってなされた図1の履物製品のミッドソールの断面図である。
【図４】図4は、図3のインソールの上面図である。
【図５】図5は、図3のインソールの底面図である。
【図６】図6は、図1のライン６−６に沿ってなされた図1の履物製品の部分的な断面図である。
【図７】図7は、本開示の原理に従った、履物製品の斜視図である。
【図８】図8は、図1の履物製品の分解図である。
【図９】図9は、図8のライン９−９に沿ってなされた図7の履物製品のミッドソールの断面図である。
【図１０】図10は、図9のインソールの上面図である。
【図１１】図11は、図9のインソールの底面図である。
【図１２】図12は、図7のライン１２−１２に沿ってなされた図7の履物製品の部分的な断面図である。
【図１３】図13は、本開示の原理に従った、履物製品の斜視図である。
【図１４】図14は、図13の履物製品の分解図である。
【図１５】図15は、図14のライン１５−１５に沿ってなされた図13の履物製品のミッドソールの断面図である。
【図１６】図16は、図15のインソールの上面図である。
【図１７】図17は、図15のインソールの底面図である。
【図１８】図18は、図13のライン１８−１８に沿ってなされた図13の履物製品の部分的な断面図である。
【図１９】図19は、本開示の原理に従った、履物製品の斜視図である。
【図２０】図20は、図19の履物製品の分解図である。
【図２１】図21は、図20のライン２１−２１に沿ってなされた図19の履物製品のミッドソールの断面図である。
【図２２】図22は、図21のインソールの上面図である。
【図２３】図23は、図21のインソールの底面図である。
【図２４】図24は、図19のライン２４−２４に沿ってなされた図19の履物製品の部分的な断面図である。
【図２５】図25は、本開示の原理に従った、履物製品の斜視図である。
【図２６】図26は、図25の履物製品の分解図である。
【図２７】図27は、図26のライン２７−２７に沿ってなされた図25の履物製品のミッドソールの断面図である。
【図２８】図28は、図27のインソールの上面図である。
【図２９】図29は、図27のインソールの底面図である。
【図３０】図30は、図25のライン３０−３０に沿ってなされた図25の履物製品の部分的な断面図である。
【図３１】図31は、本開示の原理に従った、履物製品の斜視図である。
【図３２】図32は、図31の履物製品の分解図である。
【図３３】図33は、図32のライン３３−３３に沿ってなされた図31の履物製品のミッドソールの断面図である。
【図３４】図34は、図33のインソールの上面図である。
【図３５】図35は、図33のインソールの底面図である。
【図３６】図36は、図31のライン３６−３６に沿ってなされた図31の履物製品の部分的な断面図である。
【図３７】図37は、本開示の原理に従った、履物製品の斜視図である。
【図３８】図38は、図37の履物製品の分解図である。
【図３９】図39は、図38のライン３９−３９に沿ってなされた図37の履物製品のミッドソールの断面図である。
【図４０】図40は、図39のインソールの上面図である。
【図４１】図41は、本開示の原理に従った、履物製品の斜視図である。
【図４２】図42は、図41の履物製品の分解図である。
【図４３】図43は、図42のライン４３−４３に沿ってなされた図41の履物製品のミッドソールの断面図である。
【図４４】図44は、図43のインソールの上面図である。
【図４５】図45は、本開示の原理に従った、履物製品の斜視図である。
【図４６】図46は、図45の履物製品の分解図である。
【図４７】図47は、図46のライン４７−４７に沿ってなされた図45の履物製品のミッドソールの断面図である。
【図４８】図48は、図47のインソールの上面図である。
【図４９】図49は、本開示の原理に従った、履物製品の斜視図である。
【図５０】図50は、図49の履物製品の分解図である。
【図５１】図51は、図50のライン５１−５１に沿ってなされた図49の履物の物品のミッドソールの断面図である。
【図５２】図52は、図51のインソールの上面図である。
【図５３】図53は、図51のインソールの底面図である。
【図５４】図54は、図49のライン５４−５４に沿ってなされた図49の履物製品の部分的な断面図である。
【０００８】
対応する参照番号は、図面全体を通して対応するパーツを示している。
【発明を実施するための形態】
【０００９】
これから、添付の図面を参照して、より詳細に実施例の構成について説明がなされる。実施例の構成は、本開示が、完全なものであり、かつ、当業者に対して本開示の範囲を十分に伝えるように提供されている。本開示の構成について完全な理解を提供するために、特定のコンポーネント、装置、および方法の実施例といた、特定の詳細が明らかにされている。特定の詳細が使用される必要はないこと、実施例の構成は多くの異なる形態で実施され得ること、および、特定の詳細および実施例の構成は、本開示の範囲を限定するものと解釈されるべきではないことが、当業者には明らかであろう。
【００１０】
ここにおいて使用される用語は、特定の例示的な構成を説明するためだけのものであり、そして、限定することを意図されたものではない。ここにおいて使用されるように、単数形の「一つ（”a”、”an”、および”the”）」は、文脈が明確にそうでないものと示していなければ、複数の形態も同様に含むように意図されたものであってよい。用語「含む（”comprises”、”comprising”、”including”、および”having”）」は、包括的であり、そして、従って、特徴、ステップ、オペレーション、エレメント、及び／又はコンポーネントの存在を特定するが、それらのうち１つまたはそれ以上の他の特徴、ステップ、オペレーション、エレメント、コンポーネント、及び／又はグループの存在または追加を排除するものではない。ここにおいて記載される方法ステップ、プロセス、およびオペレーションは、特にパフォーマンスの順序として特定されていなければ、必ずしも、説明または図示される特定の順序におけるそれらのパフォーマンスが必要とされるものと解釈されるべきではない。追加的または代替的なステップが、採用されてよい。
【００１１】
エレメントまたは層（layer）が、別のエレメントまたは層の「上に（”on”）」、「係合され（”engaged  to”）」、「接続され（”connected  to”）」、「取り付けられ（”attached  to”）」、または「結合され（”coupled  to”）」ているものとして参照される場合に、それは、他のエレメントまたは層の「直接的に上」、「直接的に係合」、「直接的に接続」、「直接的に取り付け」、または「直接的に結合」されてよく、もしくは、介在するエレメントまたは層が存在してよい。対照的に、エレメントが「直接的に上」、「直接的に係合」、「直接的に接続」、「直接的に取り付け」、または「直接的に結合」しているものとして参照される場合には、介在するエレメントまたは層が存在しなくてよい。エレメント間の関係を記述するために使用される他の用語は、同様に解釈されるべきである(例えば、「間（”between”）」対「直接的に間（”directly  between”）」、「隣接（”adjacent”）」対「直接的に隣接（”directly  adjacent”」等)。ここにおいて使用されるように、用語「及び／又は（”and/or”）」は、関連するリストされたアイテムの１つまたはそれ以上のうち任意の、及び／又は、全ての組み合わせを含んでいる。
【００１２】
第１、第２、第３、などの用語は、ここにおいて、種々のエレメント、コンポーネント、領域、層、及び／又はセクションを記述するために使用され得るものである。これらのエレメント、コンポーネント、領域、層及び／又はセクションは、これらの用語によって限定されるべきものではない。これらの用語は、１つのエレメント、コンポーネント、領域、層、またはセクションを、別の領域、層、またはセクションから区別するためにだけ使用され得る。「第１（”first”）」、「第２（”second”）」、および他の数値用語といった用語は、文脈によって明確に示されていなければ、シーケンスまたは順序を意味するものではない。従って、以下に説明される第１エレメント、コンポーネント、領域、層、またはセクションは、実施例の構成に係る教示から逸脱することなく、第２エレメント、コンポーネント、領域、層、またはセクションと呼ぶことができる。
【００１３】
本開示の一つの態様は、履物製品のためのソール構造体（sole  structure）を提供する。ソール構造体は、ミッドソールであり、第１表面（first  surface）と、第１表面に対してミッドソールの対向する側において形成された第２表面（second  surface）と、第１表面に形成され、かつ、第１表面から第２表面に向かう方向においてテーパが付いている第１キャビティと、第２表面に形成され、かつ、第２表面から第１表面に向かう方向においてテーパが付いている第２キャビティとを含むミッドソールを含む。第１量の粒子状物質が、第１キャビティの中に配置されており、かつ、第２量の粒子状物質が第２キャビティの中に配置されている。
【００１４】
本開示の実施は、以下の任意的な特徴のうち１つまたはそれ以上を含み得る。いくつかの実施態様において、第１キャビティおよび第２キャビティは実質的に同じ形状を有してよい。第１キャビティおよび第２キャビティは、ミッドソールの長手方向軸に対して実質的に平行に延びる方向において互いに離間されてよい。第１キャビティおよび第２キャビティは、ミッドソールの長手方向軸に対して実質的に平行に延びる方向において互いにオーバーラップしてよい。第１キャビティおよび第２キャビティは、球形状、楕円形状、および、台形状のうちの１つを有してよい。
【００１５】
いくつかの例において、第１キャビティは第１キャビティと流体連通し、かつ、第１キャビティから第２表面まで延びている第１通路を含んでよく、そして、第２キャビティは第２キャビティと流体連通し、かつ、第２キャビティから第１表面まで延びている第２通路を含んでよい。
【００１６】
第１通路は第１キャビティとは異なる形状を有し、かつ、第２通路は第２キャビティとは異なる形状を有してよい。
【００１７】
いくつかの実施例においては、第１量の粒子状物質が第１バリア部材によって受け容れられ、かつ、第２量の粒子状物質が第２バリア部材によって受け容れられ、そして、第１バリア部材は第１量の粒子状物質と第１キャビティとの間に配置されており、かつ、第２バリア部材は第２量の粒子状物質と第２キャビティとの間に配置されている。
【００１８】
第１バリア部材および第２バリア部材は、ポリマーから形成されてよい。いくつかの実施例において、第１バリア部材および第２バリア部材は、熱可塑性ポリウレタン（ＴＰＵ）から形成されている。
【００１９】
第１バリア部材は、第１キャビティの中に受け容れられる第１バリア部分を含み、かつ、第２バリア部材は、第２キャビティの中に受け容れられる第１バリア部分を含み得る。第１バリア部材は、また、第１バリア部分に取り付けられた第２バリア部分も含み、第１量の粒子状物質を受け容れる第１内部空間を画定し、かつ、第２バリア部材は、第２バリア部材の第１バリア部分に取り付けられた第２バリア部分を含み、第２量の粒子状物質を受け容れる第２内部空間を画定し得る。
【００２０】
いくつかの実施例において、第１バリア部材の第２バリア部分および第２バリア部材の第２バリア部分は、第１バリア部材の第１バリア部分および第２バリア部材の第１バリア部分と同一の材料から形成されている。代替的に、第１バリア部材の第２バリア部分および第２バリア部材の第２バリア部分は、第１バリア部材の第１バリア部分および第２バリア部材の第１バリア部分とは異なる材料から形成されてよい。
【００２１】
いくつかの実施態様において、第１量の粒子状物質と第２量の粒子状物質は、概ね同じ量である。代替的に、第１量の粒子状物質と記第２量の粒子状物質は、異なる量であってよい。
【００２２】
いくつかの例において、第１量の粒子状物質および第２量の粒子状物質は、実質的に球形状を有するフォームビーズを含んでいる。第１量の粒子状物質および第２量の粒子状物質は、また、概ね同じサイズおよび概ね同じ形状を有するフォームビーズも含んでよい。代替的に、フォームビーズは、異なるサイズおよび異なる形状のうち少なくとも１つを含んでよい。
【００２３】
本開示の別の態様は、履物製品のためのソール構造体を提供する。ソール構造体は、ミッドソールであり、第１表面と、第１表面に対してミッドソールの対向する側において形成された第２表面と、第１表面に形成され、かつ、第１形状を有する第１キャビティと、第２表面に形成され、かつ、第１形状を有する第２キャビティと、を含み、第２キャビティは第１キャビティに対して反転されている、ミッドソールを含む。第１量の粒子状物質が、第１キャビティの中に配置されており、かつ、第２量の粒子状物質が第２キャビティの中に配置されている。
【００２４】
本開示の実施は、以下の任意的な特徴のうち１つまたはそれ以上を含み得る。いくつかの実施態様において、第１キャビティは、第１表面から第２表面に向かう方向においてテーパが付いており、かつ、第２キャビティは、第２表面から第１表面に向かう方向においてテーパが付いている。
【００２５】
第１キャビティおよび第２キャビティは、ミッドソールの長手方向軸に対して実質的に平行に延びる方向において互いに離間されてよい。第１キャビティおよび第２キャビティは、ミッドソールの長手方向軸に対して実質的に平行に延びる方向において互いにオーバーラップしてよい。第１キャビティおよび第２キャビティは、球形状、楕円形状、および、台形状のうちの１つを有してよい。
【００２６】
いくつかの実施例において、第１キャビティは、第１キャビティと流体連通し、かつ、第１キャビティから第２表面まで延びている第１通路を含む。第２キャビティは、また、第２キャビティと流体連通し、かつ、第２キャビティから第１表面まで延びている第２通路を含んでもよい。
【００２７】
第１通路は、第１キャビティとは異なる形状を有してよく、かつ、第２通路は、第２キャビティとは異なる形状を有してよい。
【００２８】
第１量の粒子状物質が第１バリア部材によって受け容れられ、かつ、第２量の粒子状物質が第２バリア部材によって受け容れられてよく、第１バリア部材は、第１量の粒子状物質と第１キャビティとの間に配置されており、かつ、第２バリア部材は、第２量の粒子状物質と第２キャビティとの間に配置されている。
【００２９】
第１バリア部材および第２バリア部材は、ポリマーから形成されてよい。いくつかの実施例において、第１バリア部材および第２バリア部材は、熱可塑性ポリウレタン（ＴＰＵ）から形成されている。
【００３０】
第１バリア部材は、第１キャビティの中に受け容れられる第１バリア部分を含んでよく、かつ、第２バリア部材は、第２キャビティの中に受け容れられる第１バリア部分を含んでよい。第１バリア部材は、また、第１バリア部分に取り付けられた第２バリア部分も含んでよく、第１量の粒子状物質を受け容れる第１内部空間を画定し、かつ、第２バリア部材は、第２バリア部材の第１バリア部分に取り付けられた第２バリア部分を含んでよく、第２量の粒子状物質を受け容れる第２内部空間を画定し得る。
【００３１】
いくつかの実施態様において、第１バリア部材の第２バリア部分および第２バリア部材の第２バリア部分は、第１バリア部材の第１バリア部分および第２バリア部材の第１バリア部分と同一の材料から形成されている。代替的に、第１バリア部材の第２バリア部分および第２バリア部材の第２バリア部分は、第１バリア部材の第１バリア部分および第２バリア部材の第１バリア部分とは異なる材料から形成されている。
【００３２】
いくつかの実施例において、第１量の粒子状物質と第２量の粒子状物質は、概ね同じ量である。代替的に、第１量の粒子状物質と第２量の粒子状物質は、異なる量であってよい。
【００３３】
第１量の粒子状物質および第２量の粒子状物質は、実質的に球形状を有するフォームビーズを含んでよい。第１量の粒子状物質および第２量の粒子状物質は、また、概ね同じサイズおよび概ね同じ形状を有するフォームビーズを含んでもよい。代替的に、フォームビーズは、異なるサイズおよび異なる形状のうち少なくとも１つを含んでよい。
【００３４】
本開示の別の態様は、履物製品のためのソール構造体を提供する。ソール構造体は、ミッドソールであり、第１表面と、第１表面に対してミッドソールの対向する側において形成された第２表面と、第１表面に形成された複数の第１キャビティと、第２表面に形成された複数の第２キャビティとを含み、複数の第２キャビティは、ミッドソールの長さに沿って複数の第１キャビティと交互に配置されている、ミッドソールを含む。第１量の粒子状物質が、第１キャビティの中に配置されており、かつ、第２量の粒子状物質が第２キャビティの中に配置されている。
【００３５】
複数の第１キャビティは、第１形状を有してよく、かつ、複数の第２キャビティは、第１形状を有してよい。複数の第２キャビティは、複数の第１キャビティに対して反転されてよい。
【００３６】
複数の第１キャビティは、第１表面から第２表面に向かう方向においてテーパが付いてよく、かつ、複数の第２キャビティは、第２表面から第１表面に向かう方向においてテーパが付いてよい。
【００３７】
いくつかの例において、複数の第１キャビティおよび複数の第２キャビティは、ミッドソールの長手方向軸に対して実質的に平行に延びる方向において互いに離間されている。代替的に、複数の第１キャビティおよび複数の第２キャビティは、ミッドソールの長手方向軸に対して実質的に平行に延びる方向において互いにオーバーラップしてよい。複数の第１キャビティおよび複数の第２キャビティは、球形状、楕円形状、および、台形状のうちの１つを有してよい。
【００３８】
ソール構造体は、複数の第１キャビティそれぞれと流体連通し、かつ、それぞれの第１キャビティから第２表面まで延びている第１通路を含んでよい。ソール構造体は、また、複数の第２キャビティそれぞれと流体連通し、かつ、それぞれの第２キャビティから第１表面まで延びている第２通路を含んでのよい。第１通路は複数の第１キャビティとは異なる形状を有し、かつ、第２通路は複数の第２キャビティとは異なる形状を有する。
【００３９】
第１量の粒子状物質が第１バリア部材によって受け容れられ、かつ、第２量の粒子状物質が第２バリア部材によって受け容れられ、第１バリア部材は、第１量の粒子状物質と複数の第１キャビティそれぞれとの間に配置されており、かつ、第２バリア部材は、第２量の粒子状物質と複数の第２キャビティそれぞれとの間に配置されている。
【００４０】
第１バリア部材および第２バリア部材は、ポリマーから形成されてよい。いくつかの例において、第１バリア部材および第２バリア部材は、熱可塑性ポリウレタン（ＴＰＵ）から形成されてよい。
【００４１】
第１バリア部材は、複数の第１キャビティそれぞれの中に受け容れられる第１バリア部分を含んでよく、かつ、第２バリア部材は、複数の第２キャビティそれぞれの中に受け容れられる第１バリア部分を含んでよい。第１バリア部材は、また、第１バリア部分に取り付けられた第２バリア部分を含んでよく、第１量の粒子状物質を受け容れる第１内部空間を画定し、かつ、第２バリア部材は、第２バリア部材の第１バリア部分に取り付けられた第２バリア部分を含んでよく、第２量の粒子状物質を受け容れる第２内部空間を画定し得る。
【００４２】
第１バリア部材の第２バリア部分および第２バリア部材の第２バリア部分は、第１バリア部材の第１バリア部分および第２バリア部材の第１バリア部分と同一の材料から形成されてよい。代替的に、第１バリア部材の第２バリア部分および第２バリア部材の第２バリア部分は、第１バリア部材の第１バリア部分および第２バリア部材の第１バリア部分とは異なる材料から形成されてよい。
【００４３】
いくつかの例において、第１量の粒子状物質と第２量の粒子状物質は、概ね同じ量であってよい。代替的に、第１量の粒子状物質と第２量の粒子状物質は、異なる量であってよい。
【００４４】
第１量の粒子状物質および第２量の粒子状物質のうち少なくとも１つは、実質的に球形状を有するフォームビーズを含んでよい。フォームビーズは、また、概ね同じサイズおよび概ね同じ形状を有してよい。代替的に、フォームビーズは、異なるサイズおよび異なる形状のうち少なくとも１つを含んでよい。
【００４５】
図1および図2を参照すると、履物製品10が提供されている。図1に示されるように、履物製品10は、アッパー12、および、アッパー12に取り付けられたソール構造体14を含んでいる。履物製品10は、１つまたはそれ以上の部分に分割することができる。これらの部分は、フォアフット（forefoot）部16、ミッドフット（midfoot）部18、およびヒール（heel）部20を含み得る。フォアフット部16は、つま先（toes）および中足骨（metatarsal  bone）を足の指骨（phalanx  bone）と連結している関節に対応し得る。ミッドフット部18は、足のアーチ領域に対応し、そして、ヒール部20は、踵骨（calcaneus  bone）を含む足の後部（rear  portion）に対応し得る。
【００４６】
アッパー12は、ソール構造体14の上で支持するために足を受け容れ、そして、固定する内部空間（interior  void）22を画定する内部表面（interior  surface）を含んでいる。ヒール部20に配置されている足首開口部（ankle  opening）24は、内部空間22へのアクセスを提供し得る。例えば、足首開口部24は、足を受け容れ、空間22内で足を固定し、かつ、足の内部空間22への進入および内部空間22からの取外しを促進する。いくつかの実施例において、１つまたはそれ以上のファスナ26がアッパー12に沿って延びており、足の周囲の内部空間22のフィット（fit）を調整し、一方で、同時に足の進入および取外しを調整している。アッパー12は、ひも穴（eyelets）といった開口28、及び／又は、ファスナ26を受け容れるファブリック（fabric）またはメッシュループといった他の係合機能（engagement  features）を含み得る。ファスナ26は、レース、ストラップ、コード、面ファスナ（hook-and-loop）、または、あらゆる他の適切なタイプのファスナを含み得る。
【００４７】
アッパー12は、加えて、内部空間22とファスナ26との間に延在するタング（tongue）部30を含み得る。アッパー12は、内部空間22を形成するように一緒に縫い合わされ又は接着剤で接合された１つまたはそれ以上の材料から形成され得る。アッパーについて適切な材料は、これらに限定されるわけではないが、織物（textiles）、フォーム（foam）、皮革、および合成皮革を含み得る。材料は、耐久性、空気透過性、耐摩耗性、柔軟性、および快適性の特性を足に付与するように選択され、かつ、配置されてよく、一方で、内部空間22の中に配置されている。
【００４８】
図1および図2を続けて参照すると、ソール構造体14は、ミッドソール32、アウトソール34、およびクッション部材36を含むように示されている。図2および図8に示されるように、ミッドソール32は、一般的に、アウトソール34とアッパー12との間に配置されており、そして、アッパー12に対してクッション部材36を支持している。すなわち、ミッドソール32は、アウトソール34とアッパー12の下部サブストレート（lower  substrate）38との間にクッション部材36を支持し得る。サブストレート38は、縫い目（stitching）40(図2)を介してアッパー12に取り付けられてよく、または、代替的に、アッパー12の材料と一体的に形成されてよい。例えば、アッパー12またはアッパー12の一部がニット材料（knit  material）から形成されている場合に、ニット材料は、同様に、サブストレート38を形成することができ、そして、そのように、ミッドソール32とクッション部材36に対向するサブストレート38は、アッパー12と一体的に形成することができる。
【００４９】
サブストレート38がアッパー12とは別に形成される場合に、サブストレート38は、縫い目40を介してアッパー12に対して取り付けられ得る。サブストレート38がアッパー12と一体的に形成されているか、または、代替的に、アッパー12に取り付けられた別個のコンポーネントであるかにかかわらず、サブストレート38は、一般的に、ミッドソール32とアッパー12との間に配置され、そして、フレキシブル材料（flexible  material）から形成されている。サブストレート38をフレキシブル材料から形成することにより、サブストレート38は、使用の最中にユーザの足によって荷重されたときに伸張（stretch）し、かつ、移動することができる。使用の最中にユーザの足が受ける荷重に応じてサブストレート38が曲がり、そして、移動できることより、ユーザの足は、ミッドソール3及び／又はクッション部材36を押し下げることができ、それによって、以下により詳細に説明されるように、履物製品10の使用の最中にある程度の快適さとクッション性をユーザに提供している。
【００５０】
ミッドソール32は、例えば、ポリマーフォーム材料（foamed  polymer  material）といった、ポリマー材料から形成され得る。すなわち、ポリマーフォーム材料はエチルービニルーアセテート（ethyl-vinyl-acetate）またはポリウレタン（polyurethane）であってよい。ミッドソール32の特定的な構造にもかかわらず、ミッドソール32は、一般的に、アッパー12の前方エッジ（anterior  end）42からアッパー12の後方エッジ（posterior  end）44まで延びている。さらに、ミッドソール32は、アッパー12の内側（medial  side）46とアッパー12の外側（lateral  side）48との間に延在し得る。そうすることによって、ミッドソール32の一部が、アッパー12とミッドソール32の接合部に近接したアッパー12の外側面50上に延在し得る。例えば、ミッドソール32は、少なくとも部分的にミッドソール32の境界（perimeter）の周囲に延び、そして、ミッドソール32からアッパー12の外側面50の一部をカバーするように延びる突出部（projection）52を含んでよい。突出部52は、ミッドソールの材料が図2に示される形状へと形成されるときに、ミッドソール32と共に一体的に形成されてよい。
【００５１】
特に図2−図6を参照すると、ミッドソール32は、複数の第１キャビティ（cavities）54と、ミッドソール32の反対側に形成された複数の第２キャビティ56とを含むように示されている。次は、複数の第１キャビティ54である。複数の第１キャビティ54は、ミッドソール32の第１表面58において形成されており、そして、複数の第２キャビティ56が、ミッドソール32の反対側に配置されたミッドソール32の第２表面60において形成されている。次は、第１表面58である。図2および図6に示されるように、第１表面58は、アッパー12の下部サブストレート38と対向しており、一方で、第２表面60は、アウトソール34と対向している。
【００５２】
図2および図6に示される構成において、複数の第１キャビティ54および複数の第２キャビティ56は、実質的に円形の形状を有している。さらに、複数の第１キャビティ54は、キャビティ54が第１表面58から第２表面60に向かう方向へ延びるにつれてボリューム（volume）が減少しており、そして、複数の第２キャビティ56は、キャビティ56が第２表面60から第１表面58に向かう方向へ延びるにつれてボリュームが減少している。すなわち、複数の第１キャビティ54は、第１表面58から第２表面60に向かって延びる方向においてテーパが付いており（tapered）、そして、複数の第２キャビティ56は、第２表面60から第１表面58に向かって延びる方向においてテーパが付いている。
【００５３】
複数の第１キャビティ54および複数の第２キャビティ56が円形または楕円形の形状を備えることは、各キャビティ54、56に各キャビティ54、56の形状を画定するアーチ形表面62を提供する。一つの構成において、複数の第１キャビティ54および複数の第２キャビティ56は、同一形状を有している。さらに、複数の第２キャビティ56は、複数の第１キャビティ54に対して複数の第２キャビティ56が反転されるように、複数の第１キャビティ54と入れ子（nested）にされてよい。すなわち、そして、特に図4および図5を参照すると、複数の第１キャビティ54および複数の第２キャビティ56は、ミッドソール32の長さに沿って交互に配置（alternated）されてよく、そうして、複数の第１キャビティ54は、前方エッジ42と後方エッジ44との間でソール構造体14の長さに沿って複数の第２キャビティ56と交互に配置されている。
【００５４】
図4および図5に示されるように、複数の第１キャビティ54および複数の第２キャビティ56は、複数の第１キャビティ54が、ミッドソール32の厚みを通して複数の第２キャビティ56と垂直に整列されるようにお互いに対して配置され得るが、互いにオーバーラップはしない。例えば、隣接する第１キャビティ54のエッジは、ミッドソールを上から見たとき（図4）、または、底から見たとき（図5）に、隣接する第２キャビティ56のエッジと整列されてよい。さらに、図3に示されるように、複数の第１キャビティ54は、複数の第１キャビティ54と複数の第２キャビティ56のうち隣接するものとの間に延びているミッドソール32の材料によって、複数の第２キャビティ56から離間（spaced  apart）され得る。
【００５５】
特に図2および図6を参照すると、クッション番号36が、ミッドソール32のそれぞれのキャビティ54、56の中に受け容れられるように示されており、履物製品の使用中にある程度のクッション性を提供する。クッション部材36は、それぞれがある量の粒子状物質66を含んでいる一連の個別のバリア部材（barrier  members）64を含む。バリア部材64それぞれは、第１バリア部材68および第２バリア部材70を含み得る。第２バリア部材70は、一般的に第１バリア部材68と第２バリア部材70との間で内部空間72を画定するように、第１バリア部材68に対して取り付けられ得る。粒子状物質66は、内部空間72の中に受け容れられ、そして、従って、第１バリア部材68と第２バリア部材70との間の内部空間72の中に包含され得る。
【００５６】
第１バリア部材68および第２バリア部材70は、同一の材料から形成されてよい。例えば、第１バリア部材68および第２バリア部材70は、熱可塑性ポリウレタン（thermoplastic  polyurethane、TPU）といった、ポリマー材料から形成され得る。例えば、TPUといった、不透過性（impermeable）材料から第１バリア部材68および第２バリア部材70を形成することは、密閉された内部空間72を提供し、それによって、例えば、空気といった、流体（fluid）が内部空間72へ進入すること、または、出て行くことを防止している。
【００５７】
第１バリア部材68および第２バリア部材70は、同一の材料から形成されているものとして説明されているが、第１バリア部材68および第２バリア部材70は、代替的に、異なる材料から形成されてよい。例えば、第１バリア部材68は、TPUから形成されてよく、一方で第２バリア部材70は、例えば、スパンデックス（spandex）といった、フレキシブル材料から形成されている。スパンデックスといった、フレキシブル材料から第２バリア部材70を形成することにより、第２バリア部材70は、第１バリア部材68よりも大きい程度に曲がることができる。さらに、スパンデックスから第２バリア部材70を形成することにより、第２バリア部材70を透過性にすることができる。そうであるから、例えば、空気といった、流体が、第２バリア部材70を介してバリア部材64の内部空間72の中へ移動し、そして、出てくることができる。
【００５８】
第１バリア部材68および第２バリア部材70の構成において使用される特定の材料にかかわらず、バリア部材64は、ミッドソール32のそれぞれのキャビティ54、56に対して、および、その中で、粒子状物質66を支持し、かつ、包含する働きをする。すなわち、一旦、第１バリア部材68が既定量の粒子状物質66を受け容れると、第２バリア70を第１バリア部材68に対して取り付けることができ、それによって、内部空間72を画定し、かつ、内部空間72の中に粒子状物質66を包含している。この時点で、個々のバリア部材64は、ミッドソール32をアッパー12およびアウトソール34に対して組み付ける以前に、それぞれのキャビティ54、56の中に配置され得る。バリア部材64および関連する粒子状物質66は、バリア部材64が各キャビティ54、56を実質的に充填することを可能にする量（volume）を含んでいる。一つの構成において、バリア部材64は、それぞれ、第２バリア部材70をミッドソール32の第１表面58およびミッドソール32の第２表面60と実質的に同一平面にさせる量を含んでいる。代替的に、バリア部材64は、バリア部材64がミッドソール32に取り付けられたときに、第２バリア部材70を第１表面58および第２表面60のうち１つまたはそれ以上から突出させるボリュームおよび関連する粒子状物質66の量を含み得る。
【００５９】
バリア部材64の中、および、従って、複数の第１キャビティ54および複数の第２キャビティ56の中に受け容れられた粒子状物質66の量にかかわらず、粒子状物質66は、ミッドソール32の材料が提供する機能性およびクッション特性を強化するために使用され得る。例えば、キャビティ54、56の中に包含された粒子状物質66は、実質的に球形状、及び／又は、実質的に楕円形状を有しているフォームビーズ（foam  beads）を含んでよい。さらに、粒子状物質66を画定するフォームビーズは、概ね同じサイズおよび形状を有してよく、または、代替的に、異なるサイズおよび形状のうち少なくとも１つを有してよい。例えば、キャビティ54、56は、それぞれ、同じ量の粒子状物質66を含んでよく、それによって、粒子状物質66は、同じサイズおよび形状を有している。代替的に、キャビティ54、56のうち１つまたはそれ以上は、異なる量の粒子状物質66、及び／又は、異なるサイズ及び／又は形状を有する粒子状物質66を含み得る。
【００６０】
一旦、粒子状物質66がバリア部材64の内部空間72の中に受け容れられると、バリア部材64がミッドソール32の中に取り付けられ得る。具体的には、第１バリア部材68が各キャビティ54、56のアーチ形表面（arcuate  surface）62に対向し、かつ、接触するように、第１バリア部材68は、キャビティ54、56のそれぞれに対して配置され得る。一旦、粒子状物質66を含むバリア部材64がそれぞれのキャビティ54、56によって受け容れられると、アウトソール34がミッドソール32に取り付けられ、そして、ミッドソール32がアッパー12の下部サブストレート38に取り付けられ得る。そうすることによって、複数の第１キャビティ54の中に受け容れられたバリア部材64は、下部サブストレート38によって複数の第１キャビティ54の中に維持される。同様に、複数の第２キャビティ56の中に受け容れられたバリア部材64は、アウトソール34によって第２キャビティ56の中に維持される。そうであるから、バリア部材64、および、従って、バリア部材64の内部空間72の中に包含された粒子状物質66は、キャビティ54、56におけるミッドソール32の材料によって、そして、さらには、ミッドソール32の第１表面58に対向するアッパー12の下部サブストレート38によって、および、ミッドソール32の第２表面60に対向するアウトソール34によって、ミッドソール32に対して所望の位置に維持される。
【００６１】
バリア部材64、そして、従って、関連する粒子状物質66をミッドソール32に対して所望の位置に維持し、かつ、複数の第１キャビティ54および複数の第２キャビティ56の中に維持することは、ミッドソール32、そして、従って、履物製品10に強化されたクッション性を提供する。さらに、粒子状物質66は、各バリア部材64に対して、かつ、その中で自由に移動できるので、粒子状物質66は、ある程度に応答的（responsive）かつ適応的（adaptive）なクッション性を提供する。例えば、履物製品10の使用中、ランニング移動の最中にフォアフット部66に力が加えられる場合に、ミッドソール32、そして、従って、粒子状物質66上に加えられる下向きの力は、ユーザの足の周りに粒子状物質66を移動させ、かつ、シフトさせ、それによって、履物製品10の使用の最中に適応的かつ応答的なクッション性を提供することができる。
【００６２】
特に図7−図12を参照すると、履物製品10aが提供されており、そして、アッパー12、および、アッパー12に取り付けられたソール構造体14aを含んでいる。履物製品10aに関して、履物製品10に関連するコンポーネントの構造および機能における実質的な類似性を考慮して、同様なコンポーネントを識別するために、これ以降、および、図面において、同様な参照番号が使用され、一方で、変更されたコンポーネントを識別するために、付加文字（letter  extension）を含む同様な参照番号が使用されている。
【００６３】
ソール構造体14aは、ミッドソール32a、アウトソール34a、およびクッション部材36aを除いて、履物製品10に関するソール構造体14と同一である。すなわち、ソール構造体14aのミッドソール32aは、ミッドソール32aの長手方向軸に沿ったキャビティ54a、56aの相対的な位置を除いて、そうでなければ、ソール構造体14の複数の第１キャビティ54および複数の第２キャビティ56と、それぞれに、同一である複数の第１キャビティ54aおよび複数の第２キャビティ56aを含んでいる。
【００６４】
複数の第１キャビティ54aおよび複数の第２キャビティ56aは、複数の第１キャビティ54および複数の第２キャビティ56と同様に、ミッドソール32aの長さに沿って互いに交互に並んでいる。しかしながら、そして、図10および図11に示されるように、複数の第１キャビティ54aおよび複数の第２キャビティ56aは、ミッドソール32aの長さに沿って互いに離間されている。すなわち、ギャップ74が、ミッドソール32aの長手方向アクセスに対して実質的に平行に延びる方向において、複数の第１キャビティ54aと複数の第２キャビティ56aのうち隣接するキャビティの間に形成されている。別の言葉で言えば、複数の第１キャビティ54aは、ミッドソール32aを上から見た場合(図10)、または、ミッドソール32aを底から見た場合(図11)に、ミッドソール32aの長手方向アクセスに対して実質的に平行に延びる方向において、複数の第２キャビティ56aのうち隣接するキャビティからギャップ74によって離間されている。複数の第２キャビティ56のうち隣接するものの外エッジ（outer  edge）と整列された外エッジを有する複数の第１キャビティ54を含む、ミッドソール32とは対照的に、複数の第１キャビティ54aのエッジは、ミッドソール32aの上または底から見た場合に、ギャップ74によって、複数の第２キャビティ56aのうち隣接するもののエッジから離間されている。
【００６５】
ミッドソール32aは、ミッドソール32aの長手方向におけるそれぞれのギャップ74によって互いに離間され、かつ、離れているキャビティ54a、56aを含むが、ミッドソール32aは、そうでなければ、ソール構造体14のミッドソール32と同一である。そうであるから、ミッドソール32aは、ミッドソール32の能力を提供し、かつ、強化するようにクッション部材36aを受け容れ、履物製品10aの使用中に接地反力を減衰させる。
【００６６】
上述のように、履物製品10に関連するクッション部材36は、複数の分離した、個別のバリア部材64を含み、それぞれがある量の粒子状物質66を包含している。さらに、そして、上述のように、バリア部材64は、同一または異なる材料から形成された第１バリア部材68および第２バリア部材70を含んでよい。ソール構造体14aのクッション部材36aは、第２バリア部材70を除いて、事実上クッション部材36と同一である。すなわち、そして、図8および図12に示されるように、バリア部材64aは、それぞれ、ソール構造体14のクッション部材36と関連するバリア部材64と同様に、ある量の粒子状物質66を受け容れる個別的な第１バリア部材68を含んでいる。しかしながら、ソール構造体14aのクッション部材36aは、バリア部材64aの個々の第１バリア部材68を横切って延び、かつ、接続する第２バリア部材70aを含んでいる。すなわち、第２バリア部材70aは、複数の第１キャビティ54aによって受け容れられる第１バリア部材68を接続している。同様に、第２バリア部材70aは、複数の第２キャビティ56aによって受け容れられる第１バリア部材68の間に延び、かつ、隣接する部材を接続している。そうすることによって、第２バリア部材70aは、第１バリア部材68の隣接するものを接続して、第１表面58aにおいて複数の第１キャビティ54aの中へ取り付けられ得る単一のアセンブリを形成する。同様に、第２バリア部材70aは、第１バリア部材68を接続し、それによって、第２表面60aにおいて複数の第２キャビティ56aの中へ挿入され得る単一のアセンブリを生成する。
【００６７】
第２バリア部材70aを、隣接する第１バリア部材68を横切って延在させ、かつ、接続させることは、一旦、第２バリア部材70aが第１バリア部材68に取り付けられると、第１バリア部材68の相対的位置が固定されることを結果として生じる。そうすることによって、第１バリア部材68の互いに対する位置および第２バリア部材70aに対する位置が固定され、そして、そうであるから、第１バリア部材68が複数の第１キャビティ54aの間隔と適切に整列されていることを確実にする。同様に、第２バリア部材70aを、複数の第２キャビティ材56aと共に使用することを意図されたクッション部材36aの第１バリア部材68を横切って延在するように適用することは、第１バリア部材68を同様に適切に位置決めし、そして、間隔を空ける。そうして、クッション部材36aがミッドソール32aの複数の第２キャビティ56aの中に取り付けられたときに、第１バリア部材68が複数の第２キャビティ56aのそれぞれのキャビティの中に受け容れられ得る。
【００６８】
ミッドソール32aは、単一の第２バリア部材70aによって接合される第１バリア部材68を含むものとして記載されているが、複数の第１キャビティ54aおよび複数の第２キャビティ56aは、代替的に、ミッドソール32と同じ方法で、個々の、別個のバリア部材64受け容れることができよう。さらに、ミッドソール32は、個々の、そして、別個のバリア部材を受け容れるものとして説明され、かつ、示されているが、ミッドソール32は、代替的に、第１表面58および第２表面60において単一の第２バリア部材70aによって接合された第１バリア部材68を受け容れることができよう。第１バリア部材68が、個々の第２バリア部材70を受け容れるか、または、代替的に、隣接する第１バリア部材68が、第１表面58、58aおよび第２表面60、60aにおいて単一の第２バリア部材70aによって接合されているか否かにかかわらず、キャビティ54、54a、56、56aにある量の粒子状物質66を備えることは履物製品10、10aの使用中に接地反力を減衰させるためのミッドソール32、32aの能力を強化する。
【００６９】
図12に示されるように、アウトソール34aは、連続したアウトソール34ではなく、ソール構造体14の中に組み込まれるように、一連の分離したアウトソール部分（separate  outsole  portion）を含んでいる。分離したアウトソール部分は、離間され、かつ、ミッドソール32aの長さに沿って互いに離間されているように示されており、そして、使用中の耐摩耗性およびトラクションを履物製品10aに提供している。分離したアウトソール部分は、さらに、連続したアウトソールを組み込んだソール構造体と比較して、隣接するアウトソール部分の間に配置されたギャップにおいて、増加された柔軟性をソール構造体14aに提供している。一つの構成において、アウトソール34aの１つまたはそれ以上の部分は、透明または半透明材料から形成されてよく、アウトソール34aにおいて第２キャビティ56aの中に配置された粒子状物質66を人目にさらし得る（expose）。ソール構造体14は、連続したアウトソール34を含むものとして説明され、かつ、示されており、そして、ソール構造体14aは、分離したアウトソール部分を有しているアウトソール34aを含むものとして説明され、かつ、示されているが、ソール構造体14、14aのいずれかは、連続したアウトソール34、または、分離したアウトソール部分を有するアウトソール34aを含むことができるだろう。
【００７０】
図13−18を参照すると、履物製品10bが提供されており、そして、アッパー12およびアッパー12に取り付けられたソール構造体14bを含んでいる。履物製品10bに関して、履物製品10に関連するコンポーネントの構造および機能における実質的な類似性を考慮して、同様なコンポーネントを識別するために、これ以降、および、図面において、同様な参照番号が使用され、一方で、変更されたコンポーネントを識別するために、付加文字を含む同様な参照番号が使用されている。
【００７１】
履物製品10bは、ミッドソール32b、アウトソール34b、およびクッション部材36bを除いて、履物製品10と実質的に同一である。従って、履物製品10bは、主にミッドソール32bおよびクッション部材36bのために、履物製品10とは異なるソール構造体14bを含んでいる。
【００７２】
ミッドソール32bは、第１表面58bから第２表面60bへの方向においてテーパが付いた台形形状をそれぞれ有する複数の第１キャビティ54bを含んでいる。ミッドソール32bは、加えて、複数の第１キャビティ54bとは反対側のミッドソール32bに配置された第２キャビティ56bを含んでいる。第２キャビティ56bは、同様に、ミッドソール32bの第２表面60bから第１表面58bに向かって延びる方向においてテーパが付いた台形形状を有している。ミッドソール32bは、これ以降、一対の第１キャビティ54bおよび単一の第２キャビティ56bを含むものとして説明され、かつ、示されているが、ミッドソール32bは、代替的に、単一の第１キャビティ54bおよび複数の第２キャビティ56bを含むことができよう。すなわち、ミッドソール32bは、図14に示される第２キャビティ56bの位置に対向する位置において第１表面58bの中に形成されている単一の第１キャビティ54bを含み、そして、図14に示される第１キャビティ54bの位置に対向する位置において第２表面60bの中に形成されている一対の第２キャビティ56bを含むことができよう。ミッドソール32bは、任意の数の第１キャビティ54bおよび任意の数の第２キャビティ56bを含むことができるが、ミッドソール32bは、一対の第１キャビティ54bおよび単一の第２キャビティ56bを含むものとして説明され、かつ、示されている。
【００７３】
複数の第１キャビティ54bおよび第２キャビティ56は、ミッドソール32bの長さに沿って交互に配置されている。図16および図17に示されるように、第１キャビティ54それぞれのエッジは、ミッドソール32bの長さに沿って延びる方向において、第２キャビティ56bの反対側のエッジと、垂直に整列されている。すなわち、第１キャビティ54のエッジは、ミッドソール32bを上から見たとき(図16)、または、ミッドソール32bを底から見たとき(図17)に、第２キャビティ56bの対向するエッジと整列されている。第１キャビティ54bのエッジは、第２キャビティ56bの対向するエッジと整列されているが、キャビティ54b、56bは、図15に示されるように、ミッドソール32bの材料によって互いに離間されている。
【００７４】
図14および図15に示されるように、第１キャビティ54bおよび第２キャビティ56bは、同一の台形形状を有している。一つの構成において、第２キャビティ56bは、第１キャビティ54bと入れ子にされ、そうして、第２キャビティ56bは、第１キャビティ54bの間に配置されており、かつ、第１キャビティ54bに対して反転されている。
【００７５】
クッション部材36bは、クッション部材36、36aと同様な方法で粒子状物質66を組み込んでいる。しかしながら、粒子状物質66は、バリア部材64を組み込むことなく、第１キャビティ54bの中へ直接的の中へ挿入され、かつ、第２キャビティ56bの中へ直接的の中へ挿入されている。粒子状物質66は、以降で、バリア部材64を使用することなく、第１キャビティ54bの中に直接的に、かつ、第２キャビティ56bの中に直接的に組み込まれるものとして説明されるが、粒子状物質66は、代替的に、それぞれのバリア部材64の内部空間72の中に最初に配置された後で、キャビティ54b、56bのうち、いずれかまたは全部の中に配置することもできる。
【００７６】
粒子状物質66は、ソール構造体14に関して上述した粒子状物質66と同じサイズ及び／又は形状を有しているフォームビーズを含んでよい。さらに、キャビティ54b、56bそれぞれは、同じ量の粒子状物質66を受け容れてよく、または、代替的に、１つまたはそれ以上のキャビティ54b、56bは、異なる量の粒子状物質66を受け容れてよい。それぞれのキャビティ54b、56bの中に受け容れられた粒子状物質66のサイズ、形状、および量にかかわらず、粒子状物質66は、第１表面58bで第１キャビティ54bの中へ挿入され、そして、第２表面60bで第２キャビティ56bの中へ挿入される。
【００７７】
一旦、粒子状物質66が第１キャビティ54bおよび第２キャビティ56bの中に受け容れられると、キャビティ54b、56bの中に粒子状物質66をそれぞれに保持するために、第１バリア部材76が第１表面58bでミッドソール32bに取り付けられ、そして、第２バリア部材78がミッドソール32bの第２表面60bに取り付けられ得る。第１バリア部材76および第２バリア部材78は、バリア部材64aに関連する第２バリア部材70aと同様な方法で、例えば、スパンデックスといった、フレキシブル材料から形成されてよい。第１バリア部材76および第２バリア部材78は、それぞれのキャビティ54b、56bの中に粒子状物質66を保持するために、接着剤を介して第１表面58bおよび第２表面60bに対して、それぞれに取り付けられてよい。
【００７８】
一旦、粒子状物質66が、第１バリア部材76および第２バリア部材78によって、それぞれに、キャビティ54b、56bの中に保持されると、ミッドソール32bが、アッパー12およびアウトソールに取り付けられ得る。具体的に、第１バリア部材76は、適切な接着剤を介してアッパー12の下部サブストレート38に対して取り付けられてよく、一方で、第２バリア部材78は、適切な接着剤を介してアウトソール34bに取り付けられ得る。
【００７９】
図14および18に示されるように、アウトソール34bは、一連の分離したアウトソール部分を含んでいる。分離したアウトソール部分は、離間され、かつ、ミッドソール32bの長さに沿って互いに離間されているように示されており、そして、使用中の耐摩耗性およびトラクションを履物製品10bに提供している。分離したアウトソール部分は、さらに、連続したアウトソールを組み込んだソール構造体と比較して、隣接するアウトソール部分の間に配置されたギャップにおいて、増加された柔軟性をソール構造体14aに提供している。一つの構成において、アウトソール34bの１つまたはそれ以上の部分は、透明または半透明材料から形成されてよく、アウトソール34bにおいて第２キャビティ56aの中に配置された粒子状物質66を人目にさらし得る。
【００８０】
履物製品10、10aと同様に、クッション部材36bは、履物製品10bにある程度のクッション性を使用中に提供する。さらに、粒子状物質66はキャビティ54b、56bに対して、かつ、キャビティの中で自由に動くので、粒子状物質66は、接地反力を吸収するためのミッドソール32bの材料の能力を強化する。さらに、なおも、キャビティ54b、56bに対する、かつ、キャビティの中での粒子状物質66の動きは、履物製品10bの使用中の常に変化している適用荷重に応答することによって、適応的なクッション性を提供する。
【００８１】
図19−24を参照すると、履物製品10cが提供されており、そして、アッパー12、および、アッパー12に取り付けられたソール構造体14cを含んでいる。履物製品10cに関して、履物製品10に関連するコンポーネントの構造および機能における実質的な類似性を考慮して、同様なコンポーネントを識別するために、これ以降、および、図面において、同様な参照番号が使用され、一方で、変更されたコンポーネントを識別するために、付加文字を含む同様な参照番号が使用されている。
【００８２】
履物製品10cは、ミッドソール32c、アウトソール34c、およびクッション部材36cを除いて、履物製品10bと実質的に同一である。すなわち、ミッドソール32cは、ミッドソール32bのキャビティ54b、56bと同様な方法で、一対の第１キャビティ54c、および、ミッドソール32cの対向する側に配置された単一の第２キャビティ56cを含んでいる。しかしながら、複数の第１キャビティ54cおよび単一の第２キャビティ56cは、離間され、かつ、ミッドソール32cの長手方向アクセスに沿ったギャップ80によって、互いに離間されている。具体的に、第１キャビティ54cのエッジは、離間され、かつ、ミッドソール32の長手方向アクセスに沿って延びる方向において第２キャビティ56cの対向するエッジから離間されている。そうして、ミッドソール32cを上(図22)また底(図23)から見たときに、第２キャビティ56cと第１キャビティ54cそれぞれとの間にギャップ80が形成されている。ミッドソール32cは、そうでなければ、ミッドソール32bと同一である。第１キャビティ54cおよび第２キャビティ56cそれぞれが、ミッドソール32cの能力を強化するために、ある量の粒子状物質66を受け容れるからであり、履物製品10cに、所望のクッション効果を提供する。
【００８３】
図24に示されるように、第１キャビティ54cは、第１キャビティ54cのエッジが垂直方向において第２キャビティ56cのエッジと整列しないように、第２キャビティ56cから離間されており、隣接するキャビティ54c、56cの間にギャップ80を形成し得る。図24に示されるように、ミッドソール32の材料は、ミッドソール32のキャビティ54、56と同様に、キャビティ54、56の間に延在している。
【００８４】
ミッドソール32bと同様に、一旦、粒子状物質66が第１バリア部材76によって第１キャビティ54cの中に包含され、かつ、粒子状物質66が第２バリア部材78によって第２キャビティ56cの中に包含されると、第１バリア部材76をアッパー12の下部サブストレート38に取り付け、そして、第２バリア部材78をアウトソール34cの部分に取り付けることができる。第１バリア部材76をアッパー12の下部サブストレート38に取り付けること、および、第２バリア部材78をアウトソール34cの部分に取り付けることは、粒子状物質66の位置におけるクッション特性を有するソール構造体14cを履物製品10cに提供する。クッション特性は、ミッドソール32cの材料によって既に提供されているソール構造体14cのクッション特性を強化するものである。
【００８５】
特に図25−30を参照すると、履物製品10dが提供されており、そして、アッパー12、および、アッパー12に取り付けられたソール構造体14dを含んでいる。履物製品10dに関して、履物製品10に関連するコンポーネントの構造および機能における実質的な類似性を考慮して、同様なコンポーネントを識別するために、これ以降、および、図面において、同様な参照番号が使用され、一方で、変更されたコンポーネントを識別するために、付加文字を含む同様な参照番号が使用されている。
【００８６】
履物製品10dは、ミッドソール32d、アウトソール34d、およびクッション部材36dを除いて、履物製品10と同一である。ミッドソール32dは、複数の第１キャビティ54dおよび複数の第２キャビティ56dを含んでいる。複数の第１キャビティ54dが、ミッドソール32dの第１表面58dの中に形成されており、そして、複数の第２キャビティ56dが、ミッドソール32dの第２表面60dの中に形成されている。履物製品10のミッドソール32と同様に、第２表面60dは、第１表面58dに対向するミッドソール32dの側面において形成されている。
【００８７】
複数の第１キャビティ54dおよび複数の第２キャビティ56dは、実質的に円形状または楕円形状を有している。そうであるから、複数の第１キャビティ54dは、第１表面58dから第２表面60dに向かう方向においてテーパが付いている。同様に、複数の第２キャビティ56dは、第２表面60dから第１表面58dに向かう方向においてテーパが付いている。
【００８８】
複数の第１キャビティ54dそれぞれは、それぞれのキャビティ54dと流体連通（fluid  communication）している第１通路（passageway）82を含んでいる。同様に、複数の第２キャビティ56dそれぞれは、それぞれのキャビティ56dと流体連通している第２通路84を含んでいる。
【００８９】
第１通路82は、第１キャビティ54dのそれぞれ１つから第２表面60dまで延びている。同様に、第２通路84は、第２キャビティ56dのそれぞれ１つから第１表面58dまで延びている。図26および27に示されるように、第１通路82は、キャビティ54dとは異なる形状を有し、そして、第２通路84は、キャビティ56dとは異なる形状を有している。提供される実施例において、通路82、84は、実質的に円筒形状を有している。第１通路82は、それぞれの第１キャビティ54dから第２表面60dまで延び、そして、第２通路84は、それぞれの第２キャビティ56dから第１表面58dまで延びている。
【００９０】
複数の第１キャビティ54dは、ミッドソール32dの長さに沿って複数の第２キャビティ56bと交互に配置されている。そうであるから、複数の第１キャビティ54dは、図27に示されるように、複数の第２キャビティ56dと入れ子にされている。一つの構成において、複数の第１キャビティ54dは、複数の第２キャビティ58dと同じ形状を有してよく、それぞれの通路82、84と組み合わされたキャビティ54d、56dの形状を有している。従って、複数の第２キャビティ56dは、複数の第１キャビティ54dに対して反転されてよい。図28および図29に示されるように、第１キャビティ54dのエッジは、第２キャビティ56dのエッジと垂直方向に整列されてよく、そうして、ミッドソール32dを上から（図28）または底から(図29)見たときに、第１キャビティ54dのエッジと、隣接する第２キャビティ56dのエッジとの間にギャップは存在しない。隣接するキャビティ54d、56dの間にギャップは存在しないが、ミッドソール32aに関して上述したように、同様な方法で、１つまたはそれ以上の隣接するキャビティ54d、56dの間にギャップ74が存在し得る。
【００９１】
第１キャビティ54dに通路82を備えること、および、第２キャビティ56に通路84を備えることによって、キャビティ54d、56d並びに通路82、84を、ミッドソール32dの両側から粒子状物質66で充填することができる。すなわち、キャビティ54d、56dそれぞれ、および、通路82、84それぞれは、第１表面58dまたは第２表面60dのいずれかから粒子状物質66で充填され得る。例えば、第２バリア部材78は、キャビティ54d、56dまたは通路82、84のいずれかを粒子状物質66で充填する以前に、第２表面60dに取り付けられ得る。一旦、第２バリア部材78がミッドソール32dの第２表面60dに取り付けられると、粒子状物質66は、第１表面58dにおいて直接的に第１キャビティ54dの中へ挿入され、そして、第１表面58dにおいて通路84を介して第２キャビティ56dの中へ挿入され得る。同様に、粒子状物質66は、第１表面58dにおいて第１キャビティ54dを介して第１キャビティ54dの通路82の中へ挿入され、そして、第１表面58dにおいて通路84の中へ直接的の中へ挿入され得る。
【００９２】
粒子状物質66は、第１表面58dにおいてミッドソール32dの中へ挿入されているものとして記載されているが、粒子状物質66は、代替的に、第２表面60dにおいてミッドソール32dの中へ挿入され得るだろう。そうした構成において、第１バリア部材76は、キャビティ54d、56dまたは通路82、84のいずれかの中へ任意の粒子状物質66を挿入する以前に、第１表面58dに取り付けられるだろう。一旦、第１バリア部材76がミッドソール32dの第１表面58dに取り付けられると、粒子状物質66は、第２表面60dにおいて、第２キャビティ56dの中へ直接的の中へ挿入され、そして、通路82の中へ直接的の中へ挿入され得る。粒子状物質66は、第２表面60dにおいて、通路82を介して第１キャビティ54dの中へ挿入され、そして、第２キャビティ56dの中へ直接的に挿入され得る。
【００９３】
粒子状物質66が第１表面58dにおいてミッドソール32dの中へ挿入される場合に、第１バリア部材76は、粒子状物質66がキャビティ54d、56dおよび通路82、84の中へ配置された後で、続いて第１表面58dに取り付けられ得る。粒子状物質66が第２表面60dにおいてミッドソール32dの中へ挿入される場合に、第２バリア部材78は、粒子状物質66がキャビティ54d、56dおよび通路82d、84dによって受け容れられた後で、続いてミッドソール32dの第２表面60dに取り付けられ得る。
【００９４】
一旦、バリア部材76、78がミッドソール32dに取り付けられ、そして、粒子状物質66がキャビティ54d、56dおよび通路82、84によって受け容れられると、第１バリア部材76は、アッパー12の下部サブストレート38に取り付けられ、そして、第２バリア部材78は、履物製品10cに関して上述したのと同様な方法でアウトソール34dに取り付けられ得る。一旦、ミッドソール32dが、アッパー12に取り付けられ、かつ、アウトソール34d、ミッドソール32dのアウトソール部分に取り付けられると、そして、従って、粒子状物質66が、キャビティ54d、56dの中に配置され、かつ、通路82、84がアッパー12のフォアフット部16、ミッドフット部18、およびヒール部20に対して所定の位置に配置され、そして、そうであるから、履物製品10dの使用中にある程度のクッション性を提供する。
【００９５】
キャビティ54d、56dが通路82、84をそれぞれに備えることは、ミッドソール32、32a、32b、32cに対して、ミッドソール32dに増加された粒子状物質66を提供する。加えて、各キャビティ54d、56dにそれぞれの通路82、84を備えることによって、ミッドソール32dは、第１表面58dおよび第２表面60dのうち一方または両方から粒子状物質66で充填されることが可能となり、それによって、ミッドソール32dの製造において、そして、従って、履物製品10dに柔軟性を提供している。さらに、第１キャビティ54dに関連する通路82がミッドソール32dの第２表面60dまで延びることを可能にすることは、アウトソール34dの部分が半透明または透明材料から形成されている場合に、アウトソール34dにおいて粒子状物質66を追加的に人目にさらすことを提供する。そうであるから、第１キャビティ54dに関連する通路82がミッドソール32dの第２表面60dまで延びることを可能にすることは、ソール構造体14dの全体的な美観を強化するものである。
【００９６】
特に図31−36を参照すると、履物製品10eが提供されており、そして、アッパー12およびアッパー12に取り付けられたソール構造体14eを含んでいる。履物製品10eに関して、履物製品10に関連するコンポーネントの構造および機能における実質的な類似性を考慮して、同様なコンポーネントを識別するために、これ以降、および、図面において、同様な参照番号が使用され、一方で、変更されたコンポーネントを識別するために、付加文字を含む同様な参照番号が使用されている。
【００９７】
履物製品10eは、ミッドソール32e、アウトソール34e、およびクッション部材36eを除いて、履物製品10bと実質的に同一である。すなわち、ミッドソール32eは、複数の第１キャビティ54e、および、ミッドソール32eとは異なるキャビティ54eの反対側に配置された第２キャビティ56eを含んでいる。ミッドソール32bと同様に、第１キャビティ54eと第２キャビティ56eは、ミッドソール32eの長さに沿って互いに交互に入れ替わり、そして、実質的に台形形状を有している。そうであるから、キャビティ54eは、第１表面58eから第２表面60eに向かう方向においてテーパが付いており、そして、第２キャビティ56eは、第２表面60eから第１表面58eに向かう方向においてテーパが付いている。図36に示されるように、第２キャビティ56eは、第１キャビティ54eの間で入れ子になっており、そして、ミッドソール32eの長手方向アクセスに沿って延びる方向において第１キャビティ54eと整列されている。
【００９８】
図34および図35を参照すると、キャビティ54eのエッジは、ミッドソール52eを上から見たとき(図34)、および、ミッドソール32eを底から見たとき(図35)に、第２キャビティ56eの対向するエッジと整列され、かつ、隣り合って配置されている。第１キャビティ54eのエッジは、ミッドソール32eの長さに沿って延びる方向において第２キャビティ56eの対向するエッジと整列されているが、キャビティ54e、56eは、図33に示されるように、ミッドソール32eの材料によって互いに離間されている。すなわち、第１キャビティ54eのエッジは、第１表面58eと第２表面60eとの間に延びる垂直方向において第２キャビティ56eの対向するエッジと整列され得るが、キャビティ54eは、キャビティ56eから離間され、かつ、離れている。キャビティ54e、56eは、整列されているものとして説明され、かつ、示されているが、キャビティ54e、56eは、代替的に、ミッドソール32cに関して上述したのと同様な方法で、ミッドソール32eの長手方向においてギャップ80によって互いに離間され得る。
【００９９】
一つの構成において、第１キャビティ54eは、第２キャビティ56eと同じ形状を有している。そうであるから、第２キャビティ56eは、第１キャビティ54eとは異なる、ミッドソール32eの反対側に配置されているので、第１キャビティ54eに対して反転されている。
【０１００】
第１キャビティ54eは、各キャビティ54から第２表面60eまで延びる第１通路82eをそれぞれ含んでいる。同様に、第２キャビティ56は、第２キャビティ56eから第１表面58eまで延びる第２通路84eを含んでいる。通路82eは、第１キャビティ54eのそれぞれと流体連通しており、そして、通路84eは、第２キャビティ56eと流体連通している。従って、通路82eは、第１キャビティ54eの各々と協働して、ミッドソール32eの厚みを通じて延びている。同様に、通路84eは、第２キャビティ56eと協働して、ミッドソール32eの厚みを通じて延びている。従って、ミッドソール32eは、ソール構造体14dのミッドソール32dに関して上述したのと同様な方法で、第１キャビティ54eおよび第２キャビティ56eにおいて、ミッドソール32eの両側から粒子状物質66で充填され得る。すなわち、粒子状物質66は、第１表面58eまたは第２表面60eのいずれかからキャビティ54e、56eの中へ挿入され得る。
【０１０１】
ミッドソール32eは、第１バリア部材76を第１表面58eの上に配置することによって、または、第２バリア部材78を第２表面60eの上に配置することによって、第１表面58eまたは第２表面60eのいずれかにおいて粒子状物質66を受け容れ得る。例えば、第１バリア部材76が第１キャビティ54eおよび第２通路84eをカバーするように、第１バリア部材76が第１表面58eに取り付けられ得る。第１バリア部材76は、適切な接着剤を介して第１表面58に取り付けられてよく、そして、そうであるから、第１表面58eにおいて第１キャビティ54eおよび第２通路84eを閉じることができる。
【０１０２】
一旦、第１バリア部材76がミッドソール32eの第１表面58eに取り付けられると、粒子状物質66は、第１通路82を介して第２表面60eにおいて第１キャビティ54eの中へ挿入され、そして、第２表面60eにおいて第２キャビティ56eの中へ直接的に挿入される。そうすることによって、粒子状物質66は、第２キャビティ56eを介して第２通路84によって受け容れられる。一旦、既定量の粒子状物質66が各キャビティ54e、56eおよび各通路82e、84eによって受け容れられると、第２バリア部材78が、適切な接着剤を介して第２表面60eに取り付けられ得る。第２バリア部材78をミッドソール32eの第２表面60eに取り付けることは、第２キャビティ56eおよび第１通路82eをカバーする。そうすることによって、第２バリア部材78は、第１バリア部材76と協働して、各キャビティ54e、56eの中、および、各通路82e、84eの中に粒子状物質66を包含する。
【０１０３】
ミッドソール32eは、粒子状物質66が、第２表面60eにおいてキャビティ54e、56eおよび通路82e、84eの中へ挿入され得るように、第１バリア部材76を最初に受け容れるものとして説明されているが、ミッドソール32eは、代替的に、粒子状物質66が、第１表面58eにおいてキャビティ54e、56eおよび通路82e、84eの中へ挿入され得るように、第２バリア部材78を受け容れることもできよう。第１バリア部材76をミッドソール32eに取り付ける以前に、第２バリア部材78eがミッドソール32eに取り付けられている場合に、第１バリア部材76は、キャビティ54e、56eおよび通路82e、84eの中へ粒子状物質66を挿入した後で、上述したのと同様な方法で、第１表面58eに取り付けられる。
【０１０４】
どちらのバリア部材76、78がミッドソール32eに最初に取り付けられるかにかかわらず、一旦、粒子状物質66がキャビティ54e、56eおよび通路82e、84eの中に配置され、そして、両方のバリア部材76、78がミッドソール32eに取り付けられると、ミッドソール32eが、アッパー12に対して、および、アウトソール34eに対して取り付けられ得る。すなわち、第１バリア部材76が、適切な接着剤を介してアッパー12の下部サブストレート38に取り付けられ得る。同様に、第２バリア部材78が、アウトソール34eの部分に取り付けられてよく、ソール構造体14e、そして、従って、履物製品10eに、使用中の耐摩耗性およびトラクションを提供する。上述のように、アウトソール34eの１つまたはそれ以上の部分は、透明または半透明材料から形成されてよく、第２キャビティ56の中、および、第１通路82の中に配置された粒子状物質66が、アウトソール34において見えるようにしている。
【０１０５】
説明したように、ミッドソール32eの全厚みを通じて延びる空間（voids）を提供するように、それぞれの通路82e、84eと協働するキャビティ54e、56eを、ミッドソール32eに提供することによって、粒子状物質66を、第１表面58eまたは第２表面60eのいずれかにおいてミッドソール32eの中へ挿入することができる。そうすることによって、ミッドソール32eの製造、そして、従って、ソール構造体14eの製造が簡素化される。粒子状物質66が、いずれの表面58e、60eにおいてもミッドソール32eの中へ挿入され得るからである。
【０１０６】
ソール構造体14、14a、14b、14c、14dと同様に、キャビティ54e、56eの中に粒子状物質66を含んでいるミッドソール32eをソール構造体14eに備えることは、ソール構造体14e、そして、従って、履物製品10eに、使用中の増大されたクッション性を提供する。さらに、加えられた荷重の下で、粒子状物質66がキャビティ54e、56eおよび通路82e、84eに対して、および、その中で動けるようにすることによって、粒子状物質66は、ある程度の適応的なクッション性を提供する。そうであるから、ソール構造体14eは、ミッドソール32eを形成している材料によって提供されるクッション性に対して追加のクッション性を提供し、そして、従って、使用中のソール構造体14eの快適性を強化している。
【０１０７】
特に図37−図40を参照すると、履物製品10fが提供されており、そして、アッパー12およびアッパー12に取り付けられたソール構造体14fを含んでいる。履物製品10fに関して、履物製品10に関連するコンポーネントの構造および機能における実質的な類似性を考慮して、同様なコンポーネントを識別するために、これ以降、および、図面において、同様な参照番号が使用され、一方で、変更されたコンポーネントを識別するために、付加文字を含む同様な参照番号が使用されている。
【０１０８】
履物製品10fは、ミッドソール32f、アウトソール34f、およびクッション部材36fを除いて、履物製品10と実質的に同一である。ミッドソール32fは、図39および40に示されるように、ソール構造体14fのヒール部20だけにキャビティ54f、56fを含むという点で、ミッドソール32fと異なっている。キャビティ54f、56gは、ソール構造体14に関して上述したのと同様な方法で、粒子状物質66を包含しているバリア部材64をそれぞれ受け容れる。ミッドソール32fが、ソール構造体14fのヒール部20の中にクッション部材36fを備えることは、ヒール部20fの中のミッドソール32fの領域に粒子状物質66を提供するだけである。そうすることによって、ソール構造体14のミッドソール32と比較して、ミッドソール32fが接地反力を吸収する能力が異なっており、そして、ヒール部20の中の粒子状物質66を介して適応的なクッション性を提供するだけである。第１キャビティ54fは、ミッドソール32fの長手方向において第２キャビティ56fと整列されているものとして示されているが、第１キャビティ54fは、代替的に、離間され、そして、ソール構造体14aに関して上述され、かつ、示されたのと同様な方法で、ギャップ74によって第２キャビティ56fから離間され得る。
【０１０９】
特に図41−図44を参照すると、履物製品10gが提供されており、そして、アッパー12、および、アッパー12に取り付けられたソール構造体14gを含んでいる。履物製品10gに関して、履物製品10に関連するコンポーネントの構造および機能における実質的な類似性を考慮して、同様なコンポーネントを識別するために、これ以降、および、図面において、同様な参照番号が使用され、一方で、変更されたコンポーネントを識別するために、付加文字を含む同様な参照番号が使用されている。
【０１１０】
履物製品10gは、ミッドソール32g、アウトソール34g、およびクッション部材36gを除いて、履物製品10と同一である。すなわち、ミッドソール32gは、ソール構造体14gのヒール部20に配置された単一の第１キャビティ54gを含んでいる。キャビティ54gは、ソール構造体14の複数の第１キャビティ54に関して上述したのと同じ方法で、粒子状物質66を包含しているバリア部材64を受け容れる。
【０１１１】
ソール構造体14と同様に、ミッドソール32gの第１キャビティ54gの中に配置された粒子状物質66をソール構造体14gに備えることは、ミッドソール32gの局所領域において増大されたクッション性をミッドソール32gに提供する。すなわち、第１キャビティ54gの位置においてヒール部20のクッション性が増加され、第１キャビティ54gの中に配置された粒子状物質66を介してヒール部20に追加のクッション性を提供する。
【０１１２】
一旦、粒子状物質66を包含しているバリア部材64が第１キャビティ54gの中に配置されると、第１バリア部材76が、適当な接着剤を介してミッドソール32gの第１表面58gに取り付けられ得る。この時点で、第１バリア部材76が、アッパー12の下部サブストレート38に取り付けられ、そして、ミッドソール32gの第２表面60gが、アウトソール34gのアウトソール部分に取り付けられ得る。
【０１１３】
特に図45−図48を参照すると、履物製品10hが提供されており、そして、アッパー12およびアッパー12に取り付けられたソール構造体14hを含んでいる。履物製品10hに関して、履物製品10に関連するコンポーネントの構造および機能における実質的な類似性を考慮して、同様なコンポーネントを識別するために、これ以降、および、図面において、同様な参照番号が使用され、一方で、変更されたコンポーネントを識別するために、付加文字を含む同様な参照番号が使用されている。
【０１１４】
履物製品10hは、ミッドソール32h、アウトソール34h、およびクッション部材36hを除いて、履物製品10と実質的に同一である。すなわち、ミッドソール32hは、ミッドソール32hの第１表面58hに形成された単一の第１キャビティ54hを含んでいる。第１キャビティ54hは、ソール構造体14hのフォアフット部16に位置しており、そして、そうであるから、フォアフット部16の中のクッション性を増大させる。
【０１１５】
ソール構造体14のミッドソール32と同様に、ミッドソール32hの第１キャビティ54hは、その中に粒子状物質66を包含しているバリア部材64を受け容れる。一旦、バリア部材64および関連する粒子状物質66が第１キャビティ54hの中に配置されると、第１バリア部材76が、適当な接着剤を介してミッドソール32hの第１表面58hに取り付けられ得る。第１バリア部材76が、次いで、アッパー12の下部サブストレート38に取り付けられ、そして、ミッドソール32hの第２表面60hがアウトソール34hの部分に取り付けられ得る。
【０１１６】
特に図49−図54を参照すると、履物製品10iが提供されており、そして、アッパー12およびアッパー12に取り付けられたソール構造体14iを含んでいる。履物製品10iに関して、履物製品10に関連するコンポーネントの構造および機能における実質的な類似性を考慮して、同様なコンポーネントを識別するために、これ以降、および、図面において、同様な参照番号が使用され、一方で、変更されたコンポーネントを識別するために、付加文字を含む同様な参照番号が使用されている。
【０１１７】
履物製品10iは、第１キャビティ54iと第２キャビティ56iとの間の間隔（spacing）を除いて、履物製品10b、10cと実質的に同一である。例えば、ミッドソール32bの第１キャビティ54bと第２キャビティ56bは、ミッドソール32bを上から見たとき(図16)、または、底から見たとき(図17)に、第１キャビティ54bのエッジが第２キャビティ56bの対向するエッジと整列するように、互いに垂直に整列されている。逆に、ミッドソール32cの第１キャビティ54cと第２キャビティ56cは、ミッドソール32cを上から見たとき(図22)、または、ミッドソール32cを底(図23)から見たときに、ミッドソール32cの長手方向の軸に沿ってギャップ80によって互いに離間されている。
【０１１８】
第１キャビティ54iと第２キャビティ56iは、ミッドソール32iを上から見たとき(図52)、または、ミッドソール32iを底から見たとき(図53)に、ミッドソール32iの長手方向アクセスに対して実質的に平行な方向において互いにオーバーラップしている。すなわち、第１キャビティ54iは、オーバーラップ領域86において第２キャビティ56iの対向するエッジとオーバーラップする。そうすることによって、第１キャビティ54iは、第２キャビティ56iに対してより近接して配置され、そうして、第２キャビティ56iは、ソール構造体14b、14cのミッドソール32b、32cと比較した場合、それぞれに、第１キャビティ54iのより近接において入れ子にされている。図54に示されるように、第１キャビティ54iおよび第２キャビティ56iは、オーバーラップ領域86のせいで互いにより近接して配置されているが、第１キャビティ54iは、離間されており、そして、ミッドソール32iの材料によって第２キャビティ56iから離間されている。
【０１１９】
第１キャビティ54iを第２キャビティ56iとオーバーラップさせることは、ミッドソール32b、32cと比較した場合、ミッドソール32iに対して異なるクッション特性を提供する。すなわち、第１キャビティ54iおよび第２キャビティ56iが、キャビティ54b、54c、56b、56cと同一の形状を有しており、かつ、さらに、キャビティ54b、56b、54c、56c、54i、56iそれぞれが、同じ量、タイプ、およびサイズの粒子状物質66を受け容れると仮定すると、図54に示されるように、キャビティ54i、56iをオーバーラップする関係に備えることは、ミッドソール32b、32cと比較した場合、粒子状物質66をミッドフット部18のより近くに集中させる。キャビティ54i、56iは台形形状を有しているように示されているが、キャビティ54i、56iは、代替的に、キャビティ54、54a、56、56aと同様な方法で、円形状または楕円形状を有し得るものであり、それによって、オーバーラップ領域が、隣接する円形または楕円形のキャビティの間に配置されている。
【０１２０】
一旦、粒子状物質66が、キャビティ54iおよびキャビティ56iの中へ挿入されると、第１バリア部材76が、第１表面58iに取り付けられ、そして、第２バリア部材78が、適切な接着剤を介して第２表面60iに取り付けられ得る。続いて、バリア部材76が、アッパー12の下部サブストレート38に取り付けられ、そして、バリア部材78が、アウトソール34iの部分に取り付けられ得る。
【０１２１】
ソール構造体14、14a、14b、14c、14d、14e、14f、14gと同様に、ソール構造体14iが粒子状物質66を備えることは、接地反力を吸収するミッドソール32iの能力を高め、そして、従って、履物製品10iの使用中にユーザに対してある程度の快適さを提供する。
【０１２２】
以下の項（clauses）は、上述の履物製品について例示的な構成を提供している。
【０１２３】
例１：履物製品のためのソール構造体であって、前記ソール構造体は、ミッドソールであり、第１表面と、前記第１表面に対して前記ミッドソールの対向する側において形成された第２表面と、前記第１表面に形成され、かつ、前記第１表面から前記第２表面に向かう方向においてテーパが付いている第１キャビティと、前記第２表面に形成され、かつ、前記第２表面から前記第１表面に向かう方向においてテーパが付いている第２キャビティとを含むミッドソール、前記第１キャビティの中に配置されている第１量の粒子状物質、および、前記第２キャビティの中に配置されている第２量の粒子状物質を含む。
【０１２４】
例２：前記第１キャビティおよび前記第２キャビティは、実質的に同じ形状を有している、例１に記載のソール構造体。
【０１２５】
例３：前記第１キャビティおよび前記第２キャビティは、前記ミッドソールの長手方向軸に対して実質的に平行に延びる方向において、互いに離間されている、例１または２に記載のソール構造体。
【０１２６】
例４：前記第１キャビティおよび前記第２キャビティは、前記ミッドソールの長手方向軸に対して実質的に平行に延びる方向において互いにオーバーラップしている、例１に記載のソール構造体。
【０１２７】
例５：前記第１キャビティおよび前記第２キャビティは、球形状、楕円形状、および、台形状のうちの１つを有する、例１乃至４いずれか一項に記載のソール構造体。
【０１２８】
例６：前記第１キャビティは、前記第１キャビティと流体連通し、かつ、前記第１キャビティから前記第２表面まで延びている第１通路を含む、例１乃至５いずれか一項に記載のソール構造体。
【０１２９】
例７：前記第２キャビティは、前記第２キャビティと流体連通し、かつ、前記第２キャビティから前記第１表面まで延びている第２通路を含む、例１乃至６いずれか一項に記載のソール構造体。
【０１３０】
例８：前記第１通路は、前記第１キャビティとは異なる形状を有し、かつ、前記第２通路は、前記第２キャビティとは異なる形状を有する、例７に記載のソール構造体。
【０１３１】
例９：前記第１量の粒子状物質が第１バリア部材によって受け容れられ、かつ、前記第２量の粒子状物質が第２バリア部材によって受け容れられ、前記第１バリア部材は、前記第１量の粒子状物質と前記第１キャビティとの間に配置されており、かつ、前記第２バリア部材は、前記第２量の粒子状物質と前記第２キャビティとの間に配置されている、例１乃至８いずれか一項に記載のソール構造体。
【０１３２】
例１０：前記第１バリア部材および前記第２バリア部材は、ポリマーから形成されている、例９に記載のソール構造体。
【０１３３】
例１１：前記第１バリア部材および前記第２バリア部材は、熱可塑性ポリウレタン（ＴＰＵ）から形成されている、例９に記載のソール構造体。
【０１３４】
例１２：前記第１バリア部材は、前記第１キャビティの中に受け容れられる第１バリア部分を含み、かつ、前記第２バリア部材は、前記第２キャビティの中に受け容れられる第１バリア部分を含む、例９に記載のソール構造体。
【０１３５】
例１３：前記第１バリア部材は、前記第１バリア部分に取り付けられた第２バリア部分を含み、前記第１量の粒子状物質を受け容れる第１内部空間を画定し、かつ、前記第２バリア部材は、前記第２バリア部材の前記第１バリア部分に取り付けられた第２バリア部分を含み、前記第２量の粒子状物質を受け容れる第２内部空間を画定する、例１２に記載のソール構造体。
【０１３６】
例１４：前記第１バリア部材の前記第２バリア部分、および、前記第２バリア部材の前記第２バリア部分は、前記第１バリア部材の前記第１バリア部分、および、前記第２バリア部材の前記第１バリア部分と同一の材料から形成されている、  例１３に記載のソール構造体。
【０１３７】
例１５：前記第１バリア部材の前記第２バリア部分、および、前記第２バリア部材の前記第２バリア部分は、前記第１バリア部材の前記第１バリア部分、および、前記第２バリア部材の前記第１バリア部分とは異なる材料から形成されている、例１３に記載のソール構造体。
【０１３８】
例１６：前記第１量の粒子状物質と前記第２量の粒子状物質は、概ね同じ量である、例１に記載のソール構造体。
【０１３９】
例１７：前記第１量の粒子状物質と前記第２量の粒子状物質は、異なる量である、例１に記載のソール構造体。
【０１４０】
例１８：前記第１量の粒子状物質および前記第２量の粒子状物質のうち少なくとも１つは、フォームビーズを含んでいる、例１乃至１７いずれか一項に記載のソール構造体。
【０１４１】
例１９：前記フォームビーズは、実質的に球形状を有する、例１８に記載のソール構造体。
【０１４２】
例２０：前記フォームビーズは、概ね同じサイズおよび概ね同じ形状を有する、例１８に記載のソール構造体。
【０１４３】
例２１：前記フォームビーズは、異なるサイズおよび異なる形状のうち少なくとも１つを含む、例１８に記載のソール構造体。
【０１４４】
例２２：履物製品のためのソール構造体であって、前記ソール構造体は、ミッドソールであり、第１表面と、前記第１表面に対して前記ミッドソールの対向する側において形成された第２表面と、前記第１表面に形成され、かつ、第１形状を有する第１キャビティと、前記第２表面に形成され、かつ、前記第１形状を有する第２キャビティと、を含み、前記第２キャビティは前記第１キャビティに対して反転されている、ミッドソール、前記第１キャビティの中に配置されている第１量の粒子状物質、および、前記第２キャビティの中に配置されている第２量の粒子状物質を含む。
【０１４５】
例２３：前記第１キャビティは、前記第１表面から前記第２表面に向かう方向においてテーパが付いており、かつ、前記第２キャビティは、前記第２表面から前記第１表面に向かう方向においてテーパが付いている、例２２に記載のソール構造体。
【０１４６】
例２４：前記第１キャビティおよび前記第２キャビティは、前記ミッドソールの長手方向軸に対して実質的に平行に延びる方向において、互いに離間されている、例２２または２３に記載のソール構造体。
【０１４７】
例２５：前記第１キャビティおよび前記第２キャビティは、前記ミッドソールの長手方向軸に対して実質的に平行に延びる方向において互いにオーバーラップしている、例２２に記載のソール構造体。
【０１４８】
例２６：前記第１キャビティおよび前記第２キャビティは、球形状、楕円形状、および、台形状のうちの１つを有する、例２２乃至２５いずれか一項に記載のソール構造体。
【０１４９】
例２７：前記第１キャビティは、前記第１キャビティと流体連通し、かつ、前記第１キャビティから前記第２表面まで延びている第１通路を含む、例２２乃至２６いずれか一項に記載のソール構造体。
【０１５０】
例２８：前記第２キャビティは、前記第２キャビティと流体連通し、かつ、前記第２キャビティから前記第１表面まで延びている第２通路を含む、例２２乃至２７いずれか一項に記載のソール構造体。
【０１５１】
例２９：前記第１通路は、前記第１キャビティとは異なる形状を有し、かつ、前記第２通路は、前記第２キャビティとは異なる形状を有する、例２８に記載のソール構造体。
【０１５２】
例３０：前記第１量の粒子状物質が第１バリア部材によって受け容れられ、かつ、前記第２量の粒子状物質が第２バリア部材によって受け容れられ、前記第１バリア部材は、前記第１量の粒子状物質と前記第１キャビティとの間に配置されており、かつ、前記第２バリア部材は、前記第２量の粒子状物質と前記第２キャビティとの間に配置されている、例２２乃至２８いずれか一項に記載のソール構造体。
【０１５３】
例３１：前記第１バリア部材および前記第２バリア部材は、ポリマーから形成されている、例３０に記載のソール構造体。
【０１５４】
例３２：前記第１バリア部材および前記第２バリア部材は、熱可塑性ポリウレタン（ＴＰＵ）から形成されている、例３０に記載のソール構造体。
【０１５５】
例３３：前記第１バリア部材は、前記第１キャビティの中に受け容れられる第１バリア部分を含み、かつ、前記第２バリア部材は、前記第２キャビティの中に受け容れられる第１バリア部分を含む、例３０に記載のソール構造体。
【０１５６】
例３４：前記第１バリア部材は、前記第１バリア部分に取り付けられた第２バリア部分を含み、前記第１量の粒子状物質を受け容れる第１内部空間を画定し、かつ、前記第２バリア部材は、前記第２バリア部材の前記第１バリア部分に取り付けられた第２バリア部分を含み、前記第２量の粒子状物質を受け容れる第２内部空間を画定する、例３３に記載のソール構造体。
【０１５７】
例３５：前記第１バリア部材の前記第２バリア部分、および、前記第２バリア部材の前記第２バリア部分は、前記第１バリア部材の前記第１バリア部分、および、前記第２バリア部材の前記第１バリア部分と同一の材料から形成されている、例３４に記載のソール構造体。
【０１５８】
例３６：前記第１バリア部材の前記第２バリア部分、および、前記第２バリア部材の前記第２バリア部分は、前記第１バリア部材の前記第１バリア部分、および、前記第２バリア部材の前記第１バリア部分とは異なる材料から形成されている、例３４に記載のソール構造体。
【０１５９】
例３７：前記第１量の粒子状物質と前記第２量の粒子状物質は、概ね同じ量である、例２２に記載のソール構造体。
【０１６０】
例３８：前記第１量の粒子状物質と前記第２量の粒子状物質は、異なる量である、例２２に記載のソール構造体。
【０１６１】
例３９：前記第１量の粒子状物質および前記第２量の粒子状物質のうち少なくとも１つは、フォームビーズを含んでいる、例２２乃至３８いずれか一項に記載のソール構造体。
【０１６２】
例４０：前記フォームビーズは、実質的に球形状を有する、例３９に記載のソール構造体。
【０１６３】
例４１：前記フォームビーズは、概ね同じサイズおよび概ね同じ形状を有する、例３９に記載のソール構造体。
【０１６４】
例４２：前記フォームビーズは、異なるサイズおよび異なる形状のうち少なくとも１つを含む、例３９に記載のソール構造体。
【０１６５】
例４３：履物製品のためのソール構造体であって、前記ソール構造体は、ミッドソールであり、第１表面と、前記第１表面に対して前記ミッドソールの対向する側において形成された第２表面と、前記第１表面に形成された複数の第１キャビティと、前記第２表面に形成された複数の第２キャビティと、を含み、前記複数の第２キャビティは、前記ミッドソールの長さに沿って前記複数の第１キャビティと交互に配置されている、ミッドソール、前記第１キャビティの中に配置されている第１量の粒子状物質、および、前記第２キャビティの中に配置されている第２量の粒子状物質を含む。
【０１６６】
例４４：前記複数の第１キャビティは、第１形状を有し、かつ、前記複数の第２キャビティは、前記第１形状を有し、前記複数の第２キャビティは、前記複数の第１キャビティに対して反転されている、例４３に記載のソール構造体。
【０１６７】
例４５：前記複数の第１キャビティは、前記第１表面から前記第２表面に向かう方向においてテーパが付いており、かつ、前記複数の第２キャビティは、前記第２表面から前記第１表面に向かう方向においてテーパが付いている、例４３記載のソール構造体。
【０１６８】
例４６：前記複数の第１キャビティおよび前記複数の第２キャビティは、前記ミッドソールの長手方向軸に対して実質的に平行に延びる方向において、互いに離間されている、
例４３乃至４５いずれか一項に記載のソール構造体。
【０１６９】
例４７：前記複数の第１キャビティおよび前記複数の第２キャビティは、前記ミッドソールの長手方向軸に対して実質的に平行に延びる方向において互いにオーバーラップしている、例４３に記載のソール構造体。
【０１７０】
例４８：前記複数の第１キャビティおよび前記複数の第２キャビティは、球形状、楕円形状、および、台形状のうちの１つを有する、例４３乃至４７いずれか一項に記載のソール構造体。
【０１７１】
例４９：前記ソール構造体は、さらに、前記複数の第１キャビティそれぞれと流体連通し、かつ、それぞれの前記第１キャビティから前記第２表面まで延びている第１通路を含む、例４３乃至４８いずれか一項に記載のソール構造体。
【０１７２】
例５０：前記ソール構造体は、さらに、前記複数の第２キャビティそれぞれと流体連通し、かつ、それぞれの前記第２キャビティから前記第１表面まで延びている第２通路を含む、例４３乃至４９いずれか一項に記載のソール構造体。
【０１７３】
例５１：前記第１通路は、前記複数の第１キャビティとは異なる形状を有し、かつ、前記第２通路は、前記複数の第２キャビティとは異なる形状を有する、例５０に記載のソール構造体。
【０１７４】
例５２：前記第１量の粒子状物質が第１バリア部材によって受け容れられ、かつ、前記第２量の粒子状物質が第２バリア部材によって受け容れられ、前記第１バリア部材は、前記第１量の粒子状物質と前記複数の第１キャビティそれぞれとの間に配置されており、かつ、前記第２バリア部材は、前記第２量の粒子状物質と前記複数の第２キャビティそれぞれとの間に配置されている、例４３乃至５１いずれか一項に記載のソール構造体。
【０１７５】
例５３：前記第１バリア部材および前記第２バリア部材は、ポリマーから形成されている、例５２に記載のソール構造体。
【０１７６】
例５４：前記第１バリア部材および前記第２バリア部材は、熱可塑性ポリウレタン（ＴＰＵ）から形成されている、例５２に記載のソール構造体。
【０１７７】
例５５：前記第１バリア部材は、前記複数の第１キャビティそれぞれの中に受け容れられる第１バリア部分を含み、かつ、前記第２バリア部材は、前記複数の第２キャビティそれぞれの中に受け容れられる第１バリア部分を含む、例５２に記載のソール構造体。
【０１７８】
例５６：前記第１バリア部材は、前記第１バリア部分に取り付けられた第２バリア部分を含み、前記第１量の粒子状物質を受け容れる第１内部空間を画定し、かつ、前記第２バリア部材は、前記第２バリア部材の前記第１バリア部分に取り付けられた第２バリア部分を含み、前記第２量の粒子状物質を受け容れる第２内部空間を画定する、例５５に記載のソール構造体。
【０１７９】
例５７：前記第１バリア部材の前記第２バリア部分、および、前記第２バリア部材の前記第２バリア部分は、前記第１バリア部材の前記第１バリア部分、および、前記第２バリア部材の前記第１バリア部分と同一の材料から形成されている、例５６に記載のソール構造体。
【０１８０】
例５８：前記第１バリア部材の前記第２バリア部分、および、前記第２バリア部材の前記第２バリア部分は、前記第１バリア部材の前記第１バリア部分、および、前記第２バリア部材の前記第１バリア部分とは異なる材料から形成されている、例５６に記載のソール構造体。
【０１８１】
例５９：前記第１量の粒子状物質と前記第２量の粒子状物質は、概ね同じ量である、例４３に記載のソール構造体。
【０１８２】
例６０：前記第１量の粒子状物質と前記第２量の粒子状物質は、異なる量である、例１に記載のソール構造体。
【０１８３】
例６１：前記第１量の粒子状物質および前記第２量の粒子状物質のうち少なくとも１つは、フォームビーズを含んでいる、例４３乃至６０いずれか一項に記載のソール構造体。
【０１８４】
例６２：前記フォームビーズは、実質的に球形状を有する、例６１に記載のソール構造体。
【０１８５】
例６３：前記フォームビーズは、概ね同じサイズおよび概ね同じ形状を有する、例６１に記載のソール構造体。
【０１８６】
例６４：前記フォームビーズは、異なるサイズおよび異なる形状のうち少なくとも１つを含む、例６１に記載のソール構造体。
【０１８７】
上記は、図示および説明目的のために提供されてきたものである。これは、余すところのないように（exhaustive）、または、本開示を限定するように意図されたものではない。特定の構成に係る個々のエレメントまたは特徴は、一般的に、その特定の構成に限定されないが、適用可能な場合には、具体的に図示または説明されていなくても、互換性があり、そして、選択された構成において使用することができる。同様に、また、いろいろな方法においても変更され得る。そうした変更は、本開示から逸脱したものとはみなされず、そして、全てのそうした変更は、本開示の範囲内に含まれるように意図されている。
【図１】
0006911142.tif 000002
【図２】
0006911142.tif 000003
【図３】
0006911142.tif 000004
【図４】
0006911142.tif 000005
【図５】
0006911142.tif 000006
【図６】
0006911142.tif 000007
【図７】
0006911142.tif 000008
【図８】
0006911142.tif 000009
【図９】
0006911142.tif 000010
【図１０】
0006911142.tif 000011
【図１１】
0006911142.tif 000012
【図１２】
0006911142.tif 000013
【図１３】
0006911142.tif 000014
【図１４】
0006911142.tif 000015
【図１５】
0006911142.tif 000016
【図１６】
0006911142.tif 000017
【図１７】
0006911142.tif 000018
【図１８】
0006911142.tif 000019
【図１９】
0006911142.tif 000020
【図２０】
0006911142.tif 000021
【図２１】
0006911142.tif 000022
【図２２】
0006911142.tif 000023
【図２３】
0006911142.tif 000024
【図２４】
0006911142.tif 000025
【図２５】
0006911142.tif 000026
【図２６】
0006911142.tif 000027
【図２７】
0006911142.tif 000028
【図２８】
0006911142.tif 000029
【図２９】
0006911142.tif 000030
【図３０】
0006911142.tif 000031
【図３１】
0006911142.tif 000032
【図３２】
0006911142.tif 000033
【図３３】
0006911142.tif 000034
【図３４】
0006911142.tif 000035
【図３５】
0006911142.tif 000036
【図３６】
0006911142.tif 000037
【図３７】
0006911142.tif 000038
【図３８】
0006911142.tif 000039
【図３９】
0006911142.tif 000040
【図４０】
0006911142.tif 000041
【図４１】
0006911142.tif 000042
【図４２】
0006911142.tif 000043
【図４３】
0006911142.tif 000044
【図４４】
0006911142.tif 000045
【図４５】
0006911142.tif 000046
【図４６】
0006911142.tif 000047
【図４７】
0006911142.tif 000048
【図４８】
0006911142.tif 000049
【図４９】
0006911142.tif 000050
【図５０】
0006911142.tif 000051
【図５１】
0006911142.tif 000052
【図５２】
0006911142.tif 000053
【図５３】
0006911142.tif 000054
【図５４】
0006911142.tif 000055